(57)【要約】      （修正有）【課題】小型であり製造時に作業性が良く光学性能調整が可能であり、変倍の全域において良好な光学性能と防振性能とを有する超望遠域を含む高変倍比の防振機能を備えた変倍結像光学系を提供する。【解決手段】物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正の屈折力を有する第５レンズ群Ｇ５と、負の屈折力を有する第６レンズ群Ｇ６とから構成され、広角端から望遠端への変倍に際し、各レンズ群の間の空気間隔が変化し、第１レンズ群Ｇ１は物体側へ移動し、第２レンズ群Ｇ２は像側へ移動し、第３レンズ群Ｇ３は変倍及び合焦に際して像面に対して移動せず、第３レンズ群Ｇ３の一部のレンズ群を光軸と直行する方向に変位させることによって防振を行い、特定の条件を満足することを特徴とする変倍結像光学系。【選択図】図１
2020020948.tif 000002
【特許請求の範囲】
【請求項１】
物体側から順に、
正の屈折力を有する第１レンズ群Ｇ１と、
負の屈折力を有する第２レンズ群Ｇ２と、
負の屈折力を有する第３レンズ群Ｇ３と、
正の屈折力を有する第４レンズ群Ｇ４と、
正の屈折力を有する第５レンズ群Ｇ５と、
負の屈折力を有する第６レンズ群Ｇ６とから構成され、
開口絞りＳは前記第４レンズ群Ｇ４の内部あるいは近傍に配置され、
広角端から望遠端への変倍に際し、各レンズ群の間の空気間隔が変化し、
前記第１レンズ群Ｇ１は物体側へ移動し、前記第２レンズ群Ｇ２は像側へ移動し、前記第３レンズ群Ｇ３は変倍及び合焦に際して像面に対して移動せず、
前記第３レンズ群Ｇ３は物体側より順に正の屈折力を有する第３レンズ群前群Ｇ３ａと負の屈折力を有する第３レンズ群後群Ｇ３ｂより構成され、
前記Ｇ３ｂ群を光軸と直行する方向に変位させることによって防振を行い、
前記第１レンズ群Ｇ１は負レンズＬ１と正レンズＬ２とからなる接合レンズ、および正レンズＬ３から構成され、
下記の条件式を満足することを特徴とする変倍結像光学系
（１）０．３０＜ｆ１／ｆｔ＜０．５５
（２）８．２＜｜ｆｔ／ｆ２｜＜１０．７
（３）−０．８５＜｛（ｎ２−ｎ１）／ｒ２｝／｛（ｎ１−１）／ｒ１｝＜−０．５０
（４）０．５０＜ｒ３／ｂｆ１＜２.００
ｆｉ：前記第ｉレンズ群の合成焦点距離
ｆｔ：望遠端かつ無限遠合焦状態における光学系全系の合成焦点距離
ｒｉ：光学系の物体側から第ｉ番目の光学面の曲率半径
ｎｉ：光学系の物体側から第ｉ番目と第ｉ＋１番目の光学面の間の媒質のｄ線（波長５８７．５６ｎｍ）屈折率
ｂｆ１：前記負レンズＬ１と前記正レンズＬ２からなる接合レンズのもっとも像側の面頂点から当該接合レンズの像側焦点までの距離
【請求項２】
下記の条件式を満足することを特徴とする請求項１に記載の変倍結像光学系
（５）０．３０＜ｈｔ／ｒ２＜０．４５
ｈｔ：望遠端かつ無限遠合焦状態における入射瞳の半径
ｒｉ：光学系の物体側から第ｉ番目の光学面の曲率半径
【請求項３】
下記の条件式を満足することを特徴とする請求項１又は２に記載の変倍結像光学系
（６）８．５０＜ｆｔ／ｆｗ
（７）０．５５＜ＬＴ／ｆｔ＜０．８５
ｆｔ：望遠端かつ無限遠合焦状態における光学系全系の合成焦点距離
ｆｗ：広角端かつ無限遠合焦状態における光学系全系の合成焦点距離
ＬＴ：望遠端かつ無限遠合焦状態における光学系の最も物体側の光学面から像までの長さ
【請求項４】
前記第２レンズ群Ｇ２は、少なくとも１枚ずつの正レンズと負レンズを有することを特徴とする請求項１乃至請求項３のいずれかに記載の変倍結像光学系
【請求項５】
無限遠方から近距離への合焦に際して、前記第５レンズ群Ｇ５と前記第６レンズ群Ｇ６の群間隔が変化することを特徴とする請求項１乃至請求項４のいずれかに記載の変倍結像光学系
【請求項６】
下記の条件式を満足することを特徴とする請求項５に記載の変倍結像光学系
（８）２．０＜β６＜４．０
β６：前記第６レンズ群Ｇ６の望遠端かつ無限遠合焦状態における結像倍率
【請求項７】
無限遠方から近距離への合焦に際して、前記第６レンズ群Ｇ６が移動することを特徴とする請求項５又は請求項６に記載の変倍結像光学系
【請求項８】
下記の条件式を満足することを特徴とする請求項１乃至請求項７のいずれかに記載の変倍結像光学系
（９）２．５＜ｆ３／ｆ２＜６．０
（１０）１．００＜｜ｆ３ａ／ｆ３ｂ｜＜２．５０
ｆｉ  ：前記第ｉレンズ群の合成焦点距離
ｆ３ａ：前記第３レンズ群前群Ｇ３ａの合成焦点距離
ｆ３ｂ：前記第３レンズ群後群Ｇ３ｂ群の合成焦点距離
【請求項９】
下記の条件式を満足することを特徴とする請求項１乃至請求項８のいずれかに記載の変倍結像光学系
（１１）−１．５０＜β３ｂ＜−０．５０
（１２）０．８５＜ｆ２／ｆ３ｂ＜２．００
β３ｂ：望遠端かつ無限遠合焦状態における前記第３レンズ群後群Ｇ３ｂの結像倍率
ｆｉ  ：前記第ｉレンズ群の合成焦点距離
ｆ３ｂ：前記第３レンズ群後群Ｇ３ｂ群の合成焦点距離
【発明の詳細な説明】
【技術分野】
【０００１】
本発明は、スチルカメラ、ビデオカメラ等に用いられる変倍結像光学系に関し、特に望遠端の画角が狭く、変倍率が大きく、更に防振機能を備えた変倍結像光学系に関するものである。
【背景技術】
【０００２】
デジタルスチルカメラ等に用いられる結像光学系への防振機能の搭載が進んでおり、超望遠レンズを用いた写真撮影でも手振れによる失敗を減少させることが可能となってきた。これによって超望遠での撮影がより身近なものとなり、超望遠レンズの需要が増している。超望遠レンズ需要の増大に伴いより多くの被写体に対応できる大きな変倍比が求められ、また近年のデジタルカメラの画素数増加やローパスフィルタレス化に伴い結像性能の向上も求められている。
【０００３】
特許文献１乃至２は、望遠端における半画角が２．５度程度乃至それ以下となる変倍比の大きな、防振機能を備えた変倍結像光学系の例が記載されている。
【先行技術文献】
【特許文献】
【０００４】
【特許文献１】特開２０１１−３９２６０号公報
【特許文献２】特開２０１６−１４２７９５号公報
【発明の概要】
【発明が解決しようとする課題】
【０００５】
望遠端の画角が狭い超望遠の光学系においては、焦点距離がイメージャ対角長に対して長くなり、これに伴って光学系全長が大きくなる傾向がある。このため、全長の小型化が課題になる。全長の小型化のために望遠型の屈折力配置を強めて後方のレンズ群の結像倍率を大きくすると、必然的に前群の諸元の変化に対して光線到達位置の変化が大きくなる。このため全系の設計値での収差補正が難しくなるほか、製造誤差による収差変動も大きく、製品の光学性能を担保することが難しい。
【０００６】
さらに超望遠の光学系において変倍比を大きくしようとすると、広角端と望遠端で後群倍率の変化が著しく、製造誤差に対する収差変動も異なる。高倍率の変倍結像光学系では変倍の全域で良好な光学性能を得るため全系を４以上の群から構成し、各群の移動軌跡を最適化する手法をとることが多い。ここで全系を構成する各群の広角端および望遠端での製造誤差に対する収差変動感度の関係は一定ではなく、製造誤差を含む実際の製品において望遠端の性能が良好であればすなわち広角端の性能も良好である、とは限らない。上記の通り、超望遠かつ高変倍比の変倍結像光学系においては、設計性能および製造誤差感度の双方の観点から、製品の変倍域全域にわたる性能の担保が困難である。
【０００７】
引用文献１に記載の高変倍比ズームレンズは、高い変倍比と、十分なレベルの収差補正を達成しているが、この手段としてズーム時に移動する群が７つと多いため誤差要素も多い。特に第４レンズ群から第６レンズ群は、光軸に対するティルトやシフトに伴うコマ収差および像面ティルトの感度が大きく、製造誤差を考慮した上での性能の期待値が低く、近年の要求水準を満足しない。各群の各種収差への感度は、群ごと、焦点距離域、偏芯の種類によって異なるため、偏芯調整を考慮しても変倍の全域で良好な性能を達成することが難しい。
【０００８】
引用文献２に記載のズームレンズは、非常に高い変倍比を達成している。しかしながら、特に第1レンズ群単体での望遠端におけるコマ収差の発生が顕著に大きい。第1レンズ群は径が大きくて重量が重く、かつ変倍に伴う移動量が大きいため、望遠端における第1レンズ群の偏芯の変動の抑制が困難で望遠端で偏芯コマ収差が発生しやすい。偏芯コマ収差は画面全域にわたって一様な方向のフレアを生じるため結像性能を著しく劣化させる。このため、当該文献記載のズームレンズでは製造時の結像性能の担保が困難である。
【０００９】
本発明はこのような状況に鑑みて成されたものであり、小型であり製造時に作業性が良く光学性能調整が可能であり、変倍の全域において良好な光学性能と防振性能とを有する超望遠域を含む高変倍比の防振機能を備えた変倍結像光学系を提供することを目的とする。
【課題を解決するための手段】
【００１０】
前述の課題を解決するための第１の発明は、物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正の屈折力を有する第５レンズ群Ｇ５と、負の屈折力を有する第６レンズ群Ｇ６とから構成され、開口絞りＳは前記第４レンズ群Ｇ４の内部あるいは近傍に配置され、広角端から望遠端への変倍に際し、各レンズ群の間の空気間隔が変化し、前記第１レンズ群Ｇ１は物体側へ移動し、前記第２レンズ群Ｇ２は像側へ移動し、前記第３レンズ群Ｇ３は変倍及び合焦に際して像面に対して移動せず、前記第３レンズ群Ｇ３は物体側より順に正の屈折力を有する第３レンズ群前群Ｇ３ａと負の屈折力を有する第３レンズ群後群Ｇ３ｂより構成され、前記Ｇ３ｂ群を光軸と直行する方向に変位させることによって防振を行い、前記第１レンズ群Ｇ１は負レンズＬ１と正レンズＬ２とからなる接合レンズ、および正レンズＬ３から構成され、下記の条件式を満足することを特徴とする変倍結像光学系
（１）０．３０＜ｆ１／ｆｔ＜０．５５
（２）８．２＜｜ｆｔ／ｆ２｜＜１０．７
（３）−０．８５＜｛（ｎ２−ｎ１）／ｒ２｝／｛（ｎ１−１）／ｒ１｝＜−０．５０
（４）０．５０＜ｒ３／ｂｆ１＜２.００
ｆｉ：前記第ｉレンズ群の合成焦点距離
ｆｔ：望遠端かつ無限遠合焦状態における光学系全系の合成焦点距離
ｒｉ：光学系の物体側から第ｉ番目の光学面の曲率半径
ｎｉ：光学系の物体側から第ｉ番目と第ｉ＋１番目の光学面の間の媒質のｄ線（波長５８７．５６ｎｍ）屈折率
ｂｆ１：前記負レンズＬ１と前記正レンズＬ２からなる接合レンズのもっとも像側の面頂点から当該接合レンズの像側焦点までの距離
【００１１】
第２の発明は、下記条件式を満足することを特徴とする第１の発明に記載の変倍結像光学系
（５）０．３０＜ｈｔ／ｒ２＜０．４５
ｈｔ：望遠端かつ無限遠合焦状態における入射瞳の半径
ｒｉ：光学系の物体側から第ｉ番目の光学面の曲率半径
【００１２】
第３の発明は、下記条件式を満足することを特徴とする第１の発明又は第２の発明に記載の変倍結像光学系
（６）８．５０＜ｆｔ／ｆｗ
（７）０．５５＜ＬＴ／ｆｔ＜０．８５
ｆｔ：望遠端かつ無限遠合焦状態における光学系全系の合成焦点距離
ｆｗ：広角端かつ無限遠合焦状態における光学系全系の合成焦点距離
ＬＴ：望遠端かつ無限遠合焦状態における光学系の最も物体側の光学面から像までの長さ
【００１３】
第４の発明は、前記第２レンズ群Ｇ２は、少なくとも１枚ずつの正レンズと負レンズを有することを特徴とする第１の発明乃至第３の発明のいずれかに記載の変倍結像光学系
【００１４】
第５の発明は、無限遠方から近距離への合焦に際して、前記第５レンズ群Ｇ５と前記第６レンズ群Ｇ６の群間隔が変化することを特徴とする第１の発明乃至第４の発明のいずれかに記載の変倍結像光学系
【００１５】
第６の発明は、下記条件式を満足することを特徴とする第５の発明に記載の変倍結像光学系
（８）２．０＜β６＜４．０
β６：前記第６レンズ群Ｇ６の望遠端かつ無限遠合焦状態における結像倍率
【００１６】
第７の発明は、無限遠方から近距離への合焦に際して、前記第６レンズ群Ｇ６が移動することを特徴とする第５の発明又は第６の発明に記載の変倍結像光学系
【００１７】
第８の発明は、下記の条件式を満足することを特徴とする第１の発明乃至第７の発明のいずれかに記載の変倍結像光学系
（９）２．５＜ｆ３／ｆ２＜６．０
（１０）１．００＜｜ｆ３ａ／ｆ３ｂ｜＜２．５０
ｆｉ  ：前記第ｉレンズ群の合成焦点距離
ｆ３ａ：前記第３レンズ群前群Ｇ３ａの合成焦点距離
ｆ３ｂ：前記第３レンズ群後群Ｇ３ｂ群の合成焦点距離
【００１８】
第９の発明は、下記の条件式を満足することを特徴とする第１の発明乃至第８の発明のいずれかに記載の変倍結像光学系
（１１）−１．５０＜β３ｂ＜−０．５０
（１２）０．８５＜ｆ２／ｆ３ｂ＜２．００
β３ｂ：望遠端かつ無限遠合焦状態における前記第３レンズ群後群Ｇ３ｂの結像倍率
ｆｉ  ：前記第ｉレンズ群の合成焦点距離
ｆ３ｂ：前記第３レンズ群後群Ｇ３ｂ群の合成焦点距離
【発明の効果】
【００１９】
本発明は、小型であり製造時に作業性が良く光学性能調整が可能であり、変倍の全域において良好な光学性能と防振性能とを有する超望遠域を含む高変倍比の防振機能を備えた変倍結像光学系を提供することが可能となる。
【図面の簡単な説明】
【００２０】
【図１】本発明の防振機能を備えた変倍結像光学系の実施例１に係るレンズ構成図である。
【図２】実施例１の防振機能を備えた変倍結像光学系の広角端、無限遠合焦時の縦収差図である。
【図３】実施例１の防振機能を備えた変倍結像光学系の広角端、有限遠距離合焦時の縦収差図である。
【図４】実施例１の防振機能を備えた変倍結像光学系の広角端、有限近距離合焦時の縦収差図である。
【図５】実施例１の防振機能を備えた変倍結像光学系の広角端、無限遠合焦時の横収差図である。
【図６】実施例１の防振機能を備えた変倍結像光学系の広角端、有限遠距離合焦時の横収差図である。
【図７】実施例１の防振機能を備えた変倍結像光学系の広角端、有限近距離合焦時の横収差図である。
【図８】実施例１の防振機能を備えた変倍結像光学系の広角端、無限遠合焦時に光軸が０．４度傾いた状態で防振を行った際の横収差図である。
【図９】実施例１の防振機能を備えた変倍結像光学系の中間、無限遠合焦時の縦収差図である。
【図１０】実施例１の防振機能を備えた変倍結像光学系の中間、有限遠距離合焦時の縦収差図である。
【図１１】実施例１の防振機能を備えた変倍結像光学系の中間、有限近距離合焦時の縦収差図である。
【図１２】実施例１の防振機能を備えた変倍結像光学系の中間、無限遠合焦時の横収差図である。
【図１３】実施例１の防振機能を備えた変倍結像光学系の中間、有限遠距離合焦時の横収差図である。
【図１４】実施例１の防振機能を備えた変倍結像光学系の中間、有限近距離合焦時の横収差図である。
【図１５】実施例１の防振機能を備えた変倍結像光学系の中間、無限遠合焦時に光軸が０．４度傾いた状態で防振を行った際の横収差図である。
【図１６】実施例１の防振機能を備えた変倍結像光学系の望遠端、無限遠合焦時の縦収差図である。
【図１７】実施例１の防振機能を備えた変倍結像光学系の望遠端、有限遠距離合焦時の縦収差図である。
【図１８】実施例１の防振機能を備えた変倍結像光学系の望遠端、有限近距離合焦時の縦収差図である。
【図１９】実施例１の防振機能を備えた変倍結像光学系の望遠端、無限遠合焦時の横収差図である。
【図２０】実施例１の防振機能を備えた変倍結像光学系の望遠端、有限遠距離合焦時の横収差図である。
【図２１】実施例１の防振機能を備えた変倍結像光学系の望遠端、有限近距離合焦時の横収差図である。
【図２２】実施例１の防振機能を備えた変倍結像光学系の望遠端、無限遠合焦時に光軸が０．４度傾いた状態で防振を行った際の横収差図である。
【図２３】本発明の防振機能を備えた変倍結像光学系の実施例２に係るレンズ構成図である。
【図２４】実施例２の防振機能を備えた変倍結像光学系の広角端、無限遠合焦時の縦収差図である。
【図２５】実施例２の防振機能を備えた変倍結像光学系の広角端、有限遠距離合焦時の縦収差図である。
【図２６】実施例２の防振機能を備えた変倍結像光学系の広角端、有限近距離合焦時の縦収差図である。
【図２７】実施例２の防振機能を備えた変倍結像光学系の広角端、無限遠合焦時の横収差図である。
【図２８】実施例２の防振機能を備えた変倍結像光学系の広角端、有限遠距離合焦時の横収差図である。
【図２９】実施例２の防振機能を備えた変倍結像光学系の広角端、有限近距離合焦時の横収差図である。
【図３０】実施例２の防振機能を備えた変倍結像光学系の広角端、無限遠合焦時に光軸が０．４度傾いた状態で防振を行った際の横収差図である。
【図３１】実施例２の防振機能を備えた変倍結像光学系の中間、無限遠合焦時の縦収差図である。
【図３２】実施例２の防振機能を備えた変倍結像光学系の中間、有限遠距離合焦時の縦収差図である。
【図３３】実施例２の防振機能を備えた変倍結像光学系の中間、有限近距離合焦時の縦収差図である。
【図３４】実施例２の防振機能を備えた変倍結像光学系の中間、無限遠合焦時の横収差図である。
【図３５】実施例２の防振機能を備えた変倍結像光学系の中間、有限遠距離合焦時の横収差図である。
【図３６】実施例２の防振機能を備えた変倍結像光学系の中間、有限近距離合焦時の横収差図である。
【図３７】実施例２の防振機能を備えた変倍結像光学系の中間、無限遠合焦時に光軸が０．４度傾いた状態で防振を行った際の横収差図である。
【図３８】実施例２の防振機能を備えた変倍結像光学系の望遠端、無限遠合焦時の縦収差図である。
【図３９】実施例２の防振機能を備えた変倍結像光学系の望遠端、有限遠距離合焦時の縦収差図である。
【図４０】実施例２の防振機能を備えた変倍結像光学系の望遠端、有限近距離合焦時の縦収差図である。
【図４１】実施例２の防振機能を備えた変倍結像光学系の望遠端、無限遠合焦時の横収差図である。
【図４２】実施例２の防振機能を備えた変倍結像光学系の望遠端、有限遠距離合焦時の横収差図である。
【図４３】実施例２の防振機能を備えた変倍結像光学系の望遠端、有限近距離合焦時の横収差図である。
【図４４】実施例２の防振機能を備えた変倍結像光学系の望遠端、無限遠合焦時に光軸が０．４度傾いた状態で防振を行った際の横収差図である。
【図４５】本発明の防振機能を備えた変倍結像光学系の実施例３に係るレンズ構成図である。
【図４６】実施例３の防振機能を備えた変倍結像光学系の広角端、無限遠合焦時の縦収差図である。
【図４７】実施例３の防振機能を備えた変倍結像光学系の広角端、有限遠距離合焦時の縦収差図である。
【図４８】実施例３の防振機能を備えた変倍結像光学系の広角端、有限近距離合焦時の縦収差図である。
【図４９】実施例３の防振機能を備えた変倍結像光学系の広角端、無限遠合焦時の横収差図である。
【図５０】実施例３の防振機能を備えた変倍結像光学系の広角端、有限遠距離合焦時の横収差図である。
【図５１】実施例３の防振機能を備えた変倍結像光学系の広角端、有限近距離合焦時の横収差図である。
【図５２】実施例３の防振機能を備えた変倍結像光学系の広角端、無限遠合焦時に光軸が０．４度傾いた状態で防振を行った際の横収差図である。
【図５３】実施例３の防振機能を備えた変倍結像光学系の中間、無限遠合焦時の縦収差図である。
【図５４】実施例３の防振機能を備えた変倍結像光学系の中間、有限遠距離合焦時の縦収差図である。
【図５５】実施例３の防振機能を備えた変倍結像光学系の中間、有限近距離合焦時の縦収差図である。
【図５６】実施例３の防振機能を備えた変倍結像光学系の中間、無限遠合焦時の横収差図である。
【図５７】実施例３の防振機能を備えた変倍結像光学系の中間、有限遠距離合焦時の横収差図である。
【図５８】実施例３の防振機能を備えた変倍結像光学系の中間、有限近距離合焦時の横収差図である。
【図５９】実施例３の防振機能を備えた変倍結像光学系の中間、無限遠合焦時に光軸が０．４度傾いた状態で防振を行った際の横収差図である。
【図６０】実施例３の防振機能を備えた変倍結像光学系の望遠端、無限遠合焦時の縦収差図である。
【図６１】実施例３の防振機能を備えた変倍結像光学系の望遠端、有限遠距離合焦時の縦収差図である。
【図６２】実施例３の防振機能を備えた変倍結像光学系の望遠端、有限近距離合焦時の縦収差図である。
【図６３】実施例３の防振機能を備えた変倍結像光学系の望遠端、無限遠合焦時の横収差図である。
【図６４】実施例３の防振機能を備えた変倍結像光学系の望遠端、有限遠距離合焦時の横収差図である。
【図６５】実施例３の防振機能を備えた変倍結像光学系の望遠端、有限近距離合焦時の横収差図である。
【図６６】実施例３の防振機能を備えた変倍結像光学系の望遠端、無限遠合焦時に光軸が０．４度傾いた状態で防振を行った際の横収差図である。
【図６７】本発明の防振機能を備えた変倍結像光学系の実施例４に係るレンズ構成図である。
【図６８】実施例４の防振機能を備えた変倍結像光学系の広角端、無限遠合焦時の縦収差図である。
【図６９】実施例４の防振機能を備えた変倍結像光学系の広角端、有限遠距離合焦時の縦収差図である。
【図７０】実施例４の防振機能を備えた変倍結像光学系の広角端、有限近距離合焦時の縦収差図である。
【図７１】実施例４の防振機能を備えた変倍結像光学系の広角端、無限遠合焦時の横収差図である。
【図７２】実施例４の防振機能を備えた変倍結像光学系の広角端、有限遠距離合焦時の横収差図である。
【図７３】実施例４の防振機能を備えた変倍結像光学系の広角端、有限近距離合焦時の横収差図である。
【図７４】実施例４の防振機能を備えた変倍結像光学系の広角端、無限遠合焦時に光軸が０．４度傾いた状態で防振を行った際の横収差図である。
【図７５】実施例４の防振機能を備えた変倍結像光学系の中間、無限遠合焦時の縦収差図である。
【図７６】実施例４の防振機能を備えた変倍結像光学系の中間、有限遠距離合焦時の縦収差図である。
【図７７】実施例４の防振機能を備えた変倍結像光学系の中間、有限近距離合焦時の縦収差図である。
【図７８】実施例４の防振機能を備えた変倍結像光学系の中間、無限遠合焦時の横収差図である。
【図７９】実施例４の防振機能を備えた変倍結像光学系の中間、有限遠距離合焦時の横収差図である。
【図８０】実施例４の防振機能を備えた変倍結像光学系の中間、有限近距離合焦時の横収差図である。
【図８１】実施例４の防振機能を備えた変倍結像光学系の中間、無限遠合焦時に光軸が０．４度傾いた状態で防振を行った際の横収差図である。
【図８２】実施例４の防振機能を備えた変倍結像光学系の望遠端、無限遠合焦時の縦収差図である。
【図８３】実施例４の防振機能を備えた変倍結像光学系の望遠端、有限遠距離合焦時の縦収差図である。
【図８４】実施例４の防振機能を備えた変倍結像光学系の望遠端、有限近距離合焦時の縦収差図である。
【図８５】実施例４の防振機能を備えた変倍結像光学系の望遠端、無限遠合焦時の横収差図である。
【図８６】実施例４の防振機能を備えた変倍結像光学系の望遠端、有限遠距離合焦時の横収差図である。
【図８７】実施例４の防振機能を備えた変倍結像光学系の望遠端、有限近距離合焦時の横収差図である。
【図８８】実施例４の防振機能を備えた変倍結像光学系の望遠端、無限遠合焦時に光軸が０．４度傾いた状態で防振を行った際の横収差図である。
【図８９】本発明の防振機能を備えた変倍結像光学系の実施例５に係るレンズ構成図である。
【図９０】実施例５の防振機能を備えた変倍結像光学系の広角端、無限遠合焦時の縦収差図である。
【図９１】実施例５の防振機能を備えた変倍結像光学系の広角端、有限遠距離合焦時の縦収差図である。
【図９２】実施例５の防振機能を備えた変倍結像光学系の広角端、有限近距離合焦時の縦収差図である。
【図９３】実施例５の防振機能を備えた変倍結像光学系の広角端、無限遠合焦時の横収差図である。
【図９４】実施例５の防振機能を備えた変倍結像光学系の広角端、有限遠距離合焦時の横収差図である。
【図９５】実施例５の防振機能を備えた変倍結像光学系の広角端、有限近距離合焦時の横収差図である。
【図９６】実施例５の防振機能を備えた変倍結像光学系の広角端、無限遠合焦時に光軸が０．４度傾いた状態で防振を行った際の横収差図である。
【図９７】実施例５の防振機能を備えた変倍結像光学系の中間、無限遠合焦時の縦収差図である。
【図９８】実施例５の防振機能を備えた変倍結像光学系の中間、有限遠距離合焦時の縦収差図である。
【図９９】実施例５の防振機能を備えた変倍結像光学系の中間、有限近距離合焦時の縦収差図である。
【図１００】実施例５の防振機能を備えた変倍結像光学系の中間、無限遠合焦時の横収差図である。
【図１０１】実施例５の防振機能を備えた変倍結像光学系の中間、有限遠距離合焦時の横収差図である。
【図１０２】実施例５の防振機能を備えた変倍結像光学系の中間、有限近距離合焦時の横収差図である。
【図１０３】実施例５の防振機能を備えた変倍結像光学系の中間、無限遠合焦時に光軸が０．４度傾いた状態で防振を行った際の横収差図である。
【図１０４】実施例５の防振機能を備えた変倍結像光学系の望遠端、無限遠合焦時の縦収差図である。
【図１０５】実施例５の防振機能を備えた変倍結像光学系の望遠端、有限遠距離合焦時の縦収差図である。
【図１０６】実施例５の防振機能を備えた変倍結像光学系の望遠端、有限近距離合焦時の縦収差図である。
【図１０７】実施例５の防振機能を備えた変倍結像光学系の望遠端、無限遠合焦時の横収差図である。
【図１０８】実施例５の防振機能を備えた変倍結像光学系の望遠端、有限遠距離合焦時の横収差図である。
【図１０９】実施例５の防振機能を備えた変倍結像光学系の望遠端、有限近距離合焦時の横収差図である。
【図１１０】実施例５の防振機能を備えた変倍結像光学系の望遠端、無限遠合焦時に光軸が０．４度傾いた状態で防振を行った際の横収差図である。
【図１１１】本発明の防振機能を備えた変倍結像光学系の実施例６に係るレンズ構成図である。
【図１１２】実施例６の防振機能を備えた変倍結像光学系の広角端、無限遠合焦時の縦収差図である。
【図１１３】実施例６の防振機能を備えた変倍結像光学系の広角端、有限遠距離合焦時の縦収差図である。
【図１１４】実施例６の防振機能を備えた変倍結像光学系の広角端、有限近距離合焦時の縦収差図である。
【図１１５】実施例６の防振機能を備えた変倍結像光学系の広角端、無限遠合焦時の横収差図である。
【図１１６】実施例６の防振機能を備えた変倍結像光学系の広角端、有限遠距離合焦時の横収差図である。
【図１１７】実施例６の防振機能を備えた変倍結像光学系の広角端、有限近距離合焦時の横収差図である。
【図１１８】実施例６の防振機能を備えた変倍結像光学系の広角端、無限遠合焦時に光軸が０．４度傾いた状態で防振を行った際の横収差図である。
【図１１９】実施例６の防振機能を備えた変倍結像光学系の中間、無限遠合焦時の縦収差図である。
【図１２０】実施例６の防振機能を備えた変倍結像光学系の中間、有限遠距離合焦時の縦収差図である。
【図１２１】実施例６の防振機能を備えた変倍結像光学系の中間、有限近距離合焦時の縦収差図である。
【図１２２】実施例６の防振機能を備えた変倍結像光学系の中間、無限遠合焦時の横収差図である。
【図１２３】実施例６の防振機能を備えた変倍結像光学系の中間、有限遠距離合焦時の横収差図である。
【図１２４】実施例６の防振機能を備えた変倍結像光学系の中間、有限近距離合焦時の横収差図である。
【図１２５】実施例６の防振機能を備えた変倍結像光学系の中間、無限遠合焦時に光軸が０．４度傾いた状態で防振を行った際の横収差図である。
【図１２６】実施例６の防振機能を備えた変倍結像光学系の望遠端、無限遠合焦時の縦収差図である。
【図１２７】実施例６の防振機能を備えた変倍結像光学系の望遠端、有限遠距離合焦時の縦収差図である。
【図１２８】実施例６の防振機能を備えた変倍結像光学系の望遠端、有限近距離合焦時の縦収差図である。
【図１２９】実施例６の防振機能を備えた変倍結像光学系の望遠端、無限遠合焦時の横収差図である。
【図１３０】実施例６の防振機能を備えた変倍結像光学系の望遠端、有限遠距離合焦時の横収差図である。
【図１３１】実施例６の防振機能を備えた変倍結像光学系の望遠端、有限近距離合焦時の横収差図である。
【図１３２】実施例６の防振機能を備えた変倍結像光学系の望遠端、無限遠合焦時に光軸が０．４度傾いた状態で防振を行った際の横収差図である。
【図１３３】本発明の防振機能を備えた変倍結像光学系の実施例７に係るレンズ構成図である。
【図１３４】実施例７の防振機能を備えた変倍結像光学系の広角端、無限遠合焦時の縦収差図である。
【図１３５】実施例７の防振機能を備えた変倍結像光学系の広角端、有限遠距離合焦時の縦収差図である。
【図１３６】実施例７の防振機能を備えた変倍結像光学系の広角端、有限近距離合焦時の縦収差図である。
【図１３７】実施例７の防振機能を備えた変倍結像光学系の広角端、無限遠合焦時の横収差図である。
【図１３８】実施例７の防振機能を備えた変倍結像光学系の広角端、有限遠距離合焦時の横収差図である。
【図１３９】実施例７の防振機能を備えた変倍結像光学系の広角端、有限近距離合焦時の横収差図である。
【図１４０】実施例７の防振機能を備えた変倍結像光学系の広角端、無限遠合焦時に光軸が０．４度傾いた状態で防振を行った際の横収差図である。
【図１４１】実施例７の防振機能を備えた変倍結像光学系の中間、無限遠合焦時の縦収差図である。
【図１４２】実施例７の防振機能を備えた変倍結像光学系の中間、有限遠距離合焦時の縦収差図である。
【図１４３】実施例７の防振機能を備えた変倍結像光学系の中間、有限近距離合焦時の縦収差図である。
【図１４４】実施例７の防振機能を備えた変倍結像光学系の中間、無限遠合焦時の横収差図である。
【図１４５】実施例７の防振機能を備えた変倍結像光学系の中間、有限遠距離合焦時の横収差図である。
【図１４６】実施例７の防振機能を備えた変倍結像光学系の中間、有限近距離合焦時の横収差図である。
【図１４７】実施例７の防振機能を備えた変倍結像光学系の中間、無限遠合焦時に光軸が０．４度傾いた状態で防振を行った際の横収差図である。
【図１４８】実施例７の防振機能を備えた変倍結像光学系の望遠端、無限遠合焦時の縦収差図である。
【図１４９】実施例７の防振機能を備えた変倍結像光学系の望遠端、有限遠距離合焦時の縦収差図である。
【図１５０】実施例７の防振機能を備えた変倍結像光学系の望遠端、有限近距離合焦時の縦収差図である。
【図１５１】実施例７の防振機能を備えた変倍結像光学系の望遠端、無限遠合焦時の横収差図である。
【図１５２】実施例７の防振機能を備えた変倍結像光学系の望遠端、有限遠距離合焦時の横収差図である。
【図１５３】実施例７の防振機能を備えた変倍結像光学系の望遠端、有限近距離合焦時の横収差図である。
【図１５４】実施例７の防振機能を備えた変倍結像光学系の望遠端、無限遠合焦時に光軸が０．４度傾いた状態で防振を行った際の横収差図である。
【図１５５】本発明の防振機能を備えた変倍結像光学系の実施例８に係るレンズ構成図である。
【図１５６】実施例８の防振機能を備えた変倍結像光学系の広角端、無限遠合焦時の縦収差図である。
【図１５７】実施例８の防振機能を備えた変倍結像光学系の広角端、有限遠距離合焦時の縦収差図である。
【図１５８】実施例８の防振機能を備えた変倍結像光学系の広角端、有限近距離合焦時の縦収差図である。
【図１５９】実施例８の防振機能を備えた変倍結像光学系の広角端、無限遠合焦時の横収差図である。
【図１６０】実施例８の防振機能を備えた変倍結像光学系の広角端、有限遠距離合焦時の横収差図である。
【図１６１】実施例８の防振機能を備えた変倍結像光学系の広角端、有限近距離合焦時の横収差図である。
【図１６２】実施例８の防振機能を備えた変倍結像光学系の広角端、無限遠合焦時に光軸が０．４度傾いた状態で防振を行った際の横収差図である。
【図１６３】実施例８の防振機能を備えた変倍結像光学系の中間、無限遠合焦時の縦収差図である。
【図１６４】実施例８の防振機能を備えた変倍結像光学系の中間、有限遠距離合焦時の縦収差図である。
【図１６５】実施例８の防振機能を備えた変倍結像光学系の中間、有限近距離合焦時の縦収差図である。
【図１６６】実施例８の防振機能を備えた変倍結像光学系の中間、無限遠合焦時の横収差図である。
【図１６７】実施例８の防振機能を備えた変倍結像光学系の中間、有限遠距離合焦時の横収差図である。
【図１６８】実施例８の防振機能を備えた変倍結像光学系の中間、有限近距離合焦時の横収差図である。
【図１６９】実施例８の防振機能を備えた変倍結像光学系の中間、無限遠合焦時に光軸が０．４度傾いた状態で防振を行った際の横収差図である。
【図１７０】実施例８の防振機能を備えた変倍結像光学系の望遠端、無限遠合焦時の縦収差図である。
【図１７１】実施例８の防振機能を備えた変倍結像光学系の望遠端、有限遠距離合焦時の縦収差図である。
【図１７２】実施例８の防振機能を備えた変倍結像光学系の望遠端、有限近距離合焦時の縦収差図である。
【図１７３】実施例８の防振機能を備えた変倍結像光学系の望遠端、無限遠合焦時の横収差図である。
【図１７４】実施例８の防振機能を備えた変倍結像光学系の望遠端、有限遠距離合焦時の横収差図である。
【図１７５】実施例８の防振機能を備えた変倍結像光学系の望遠端、有限近距離合焦時の横収差図である。
【図１７６】実施例８の防振機能を備えた変倍結像光学系の望遠端、無限遠合焦時に光軸が０．４度傾いた状態で防振を行った際の横収差図である。
【発明を実施するための形態】
【００２１】
物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正の屈折力を有する第５レンズ群Ｇ５と、負の屈折力を有する第６レンズ群Ｇ６とから構成され、開口絞りＳは前記第４レンズ群Ｇ４の内部あるいは近傍に配置され広角端から望遠端への変倍に際し、各レンズ群の間の空気間隔が変化し、前記第１レンズ群Ｇ１は物体側へ移動し、前記第２レンズ群Ｇ２は像側へ移動し、前記第３レンズ群Ｇ３は変倍及び合焦に際して像面に対して移動せず、前記第３レンズ群Ｇ３は物体側より順に正の屈折力を有する第３レンズ群前群Ｇ３ａと負の屈折力を有する第３レンズ群後群Ｇ３ｂより構成され、前記Ｇ３ｂ群を光軸と直行する方向に変位させることによって防振を行い、前記第１レンズ群Ｇ１は負レンズＬ１と正レンズＬ２とからなる接合レンズ、および正レンズＬ３から構成される構成とする変倍結像光学系。
【００２２】
焦点距離の長い領域を含む変倍結像光学系においては各群の移動量が大きい傾向がある。また変倍比の大きい変倍結像光学系においても同様に各群の移動量が大きい傾向がある。
【００２３】
イメージセンサ対角線長に対して焦点距離の長い変倍領域を含む変倍結像光学系においては、全長の短縮のために第１レンズ群Ｇ１を正の屈折力、第２レンズ群Ｇ２を負の屈折力とした正先行型の構成をとることが好ましく、望遠端における光学系全長を焦点距離に比して短くすることで光学系の小型化及び各レンズ群の移動量の削減に寄与する。
【００２４】
次に、広角端から望遠端への変倍に際しては、第１レンズ群Ｇ１と第２レンズ群Ｇ２の間隔を拡大するように第１レンズ群Ｇ１及び第２レンズ群Ｇ２の少なくともいずれか移動させることで、第２レンズ群Ｇ２の結像倍率が大きくなって光学系全体の焦点距離を延ばすことができる。
【００２５】
また、径が大きく重量が増大しがちな第１レンズ群の移動量が大きくなると、移動機構に大きな負担がかかり、第１レンズ群の偏芯誤差が生じやすくなり、さらには変倍操作にも大きな力が要求されるため好ましくない。
【００２６】
一方で第１レンズ群Ｇ１の移動量を抑制して第２レンズ群Ｇ２の移動量を増大させれば広角端における光学系全長が大きくなって、広角端における画面周辺での口径食を避けるために第１レンズ群Ｇ１および第２レンズ群Ｇ２の径を大きく設定する必要が出てきて光学系全体の重量が増加してしまう。
【００２７】
従って、本発明の変倍結像光学系においては、長焦点・高変倍を両立させるために広角端から望遠端への変倍に伴って第１レンズ群Ｇ１を物体側に、第２レンズ群Ｇ２を像側にそれぞれ移動させる構成とすることで、第１レンズ群Ｇ１の移動量抑制と、広角端での全長短縮およびそれに伴う第１レンズ群Ｇ１と第２レンズ群Ｇ２の径の抑制を図っている。
【００２８】
第３レンズ群Ｇ３は第２レンズ群Ｇ２と同様に負の屈折力を持ち、変倍に際して像面に対し静止している。これは後述する防振のためである。
【００２９】
第４レンズ群Ｇ４、第５レンズ群Ｇ５および第６レンズ群Ｇ６は、その合成屈折力が変倍の全域で正であり結像作用を担うとともに、変倍時に各群の間隔を変化させながら物体側に移動することにより第１レンズ群Ｇ１と第２レンズ群Ｇ２及び第３レンズ群Ｇ３の間隔変化による変倍に伴う焦点位置移動および非点収差をはじめとする各収差変動を補正するとともに全系として高い変倍率を得るための補助的な変倍作用を担う。
【００３０】
超望遠の正先行型変倍結像光学系においては、変倍を担って望遠端において大きな結像倍率を有し、かつ第１レンズ群Ｇ１の収斂作用によって軸上光束が収束して入射する、負の屈折力を有するレンズ群の全体または一部を防振群とすることで、偏芯コマ収差の変動を避けつつ大きな像変位量を得られ、望遠端において良好な防振性能を得られることが知られている。一方で防振群として用いるにはこの群に駆動機構を設け、その制御配線をつなぐ必要がある。制御配線をつなぐにあたっては防振群の変倍や合焦に際しての移動量が少ない方がよく、静止していることが最も望ましい。
【００３１】
本発明においては第３レンズ群Ｇ３の全体としての屈折力を弱めて変倍に際して静止させるとともに、防振群の結像倍率を大きくして十分な像変位量を確保するため、第３レンズ群Ｇ３を正の屈折力を有する第３レンズ群前群Ｇ３ａ及び負の屈折力を有する第３レンズ群後群Ｇ３ｂから構成し、第３レンズ群後群Ｇ３ｂを光軸と直行する方向に変位させることによって防振を行う構成とした。正の屈折力を有する第３レンズ群前群Ｇ３ａと負の屈折力を有する第３レンズ群後群Ｇ３ｂを近接させることで第３レンズ群Ｇ３全体の屈折力を弱めつつ第３レンズ群前群Ｇ３ａの収斂作用によって第３レンズ群後群Ｇ３ｂの結像倍率を大きくすることで第３レンズ群Ｇ３を変倍に際して固定しながら、防振群である第３レンズ群後群Ｇ３ｂの結像倍率を大きくし、駆動機構と制御配線の設置と十分な防振性能の獲得を実現した。
【００３２】
一方、近年では製造誤差によって発生する偏芯に伴う光学系の結像性能低下を補正するため、光学系の一部に故意に偏芯を発生させて全系での収差を打ち消す、偏芯調整が行われることが多い。特に製造誤差による偏芯によって発生しやすい像面のティルトや、偏芯コマ収差を補正することで、製品の結像性能を大幅に向上させることができる。
【００３３】
特に高変倍率の変倍結像光学系においては、変倍域全域での設計上の性能を担保するために可動群が多くなる傾向にある。すなわち製造誤差の発生要因も多いため、偏芯調整の必要性も高い。また、広角端と望遠端での各群倍率が大きく変化するため、各群の偏芯時の諸収差の変動量も広角端と望遠端で大きく変化する。変倍の全域、また画面の全域にて十分に良好な画質を実現するため、複数の変倍位置で、複数の種の偏芯に伴う収差を調整することが望ましい。
【００３４】
しかし一般的に、ある光学系の一部の偏芯に伴い、複数の変倍位置において複数種の収差変動を発生させる。
【００３５】
例えば、第１の調整部の偏芯調整により第１の収差を補正しようとしたとき、第１の収差とともに第２の収差の変動が発生する。この第２の収差の変動を補正するための第２の調整部を偏芯調整したときに第１の収差の変動が発生すれば、再び第１の調整部の調整が必要となり、所望の性能を得るまでに手間がかかって組立コストが増大してしまう。
【００３６】
このように、変倍結像光学系の偏芯調整において変倍及び画面の全域において良好な性能を得ようとすれば、少なくとも１か所の調整部においてなるべく１つの変倍位置かつ１つの種の収差に対して変化を生じ、他の変倍位置または他の種の収差への影響が無視できるように構成し、この１か所の調整部を最後に調整することにより偏芯調整を終了するように光学系が設計されることが望ましい。
【００３７】
第２レンズ群Ｇ２は望遠端において大きな倍率を持つため、第１レンズ群Ｇ１及び第２レンズ群Ｇ２の間隔変化は結像位置の変化に大きな影響を与える。このため、光学系の上下において非対称な間隔変化を起こす、すなわち第１レンズ群Ｇ１ないし第２レンズ群Ｇ２を光軸と直交する軸周りにティルトさせることで、像面をティルトさせることができる。広角端においては第２レンズ群Ｇ２の倍率が低く、上記作用は弱くなる。
【００３８】
一方、特に第４レンズ群Ｇ４より像側のレンズ群は、第３レンズ群Ｇ３を固定とするために移動量が制限され、自身の倍率及び自身より像側のレンズ群の合成結像倍率の変化が少ないため、広角端と望遠端で収差変動の感度変化も少ない。第４レンズＧ４群以降のレンズ群を用いて広角端の収差の偏芯調整をした後に、第１レンズ群Ｇ１ないし第２レンズ群Ｇ２のティルトによる望遠端の像面ティルト調整を行うことで、なるべく少ない工数で広角端と望遠端の性能を最適に調整することができる。特に光学系のもっとも外側にあって全系組立後に最も平易に外せる第１レンズ群Ｇ１をティルトさせることによって、作業性良く製品の性能を向上させることができる。
【００３９】
しかしながら第１レンズ群Ｇ１においては軸上光束径が大きいため、ティルトに伴う偏芯コマ収差の変動も起きやすい。十分な偏芯コマ収差感度低減を図らなければその変動が無視できず、偏芯調整後に十分な性能を担保することができない。
【００４０】
まず十分な球面収差補正を施すために、第１レンズ群Ｇ１は正の屈折力を有するレンズエレメントを分割して２枚で構成し、それぞれのエレメントでの球面収差発生を抑制しつつ、１枚の負レンズを配して正レンズで発生する負の球面収差を打ち消す構成とした。超望遠域で問題となりやすい軸上及び倍率色収差を補正するため、第１レンズ群Ｇ１の正レンズには可能な限り低分散な硝材を用いることが望ましく、そのような硝材の屈折率は低い傾向がある。一方で第１レンズ群Ｇ１中の負レンズには十分に高分散な硝材が望ましく、そのような硝材の屈折率は高い傾向がある。このような屈折率の組み合わせは球面収差の補正のためにも好ましい。
【００４１】
また、低屈折率低分散の硝材は摩耗度が大きく傷がつきやすい傾向にあるので、実用上は負レンズを最も物体側に配置して使用時に最も物体側の光学面に傷がつかないようにすることが望ましい。近接して配置した負レンズおよび正レンズはその相対の偏芯によって偏芯コマ収差を生じやすいため、接合レンズとして組み立て精度を向上させることが望ましい。したがって、第１レンズ群Ｇ１を負レンズＬ１と正レンズＬ２からなる接合レンズおよび正レンズＬ３から構成することが望ましい。
【００４２】
このような構成の第１レンズ群Ｇ１においては、負レンズＬ１と正レンズＬ２の接合面Ｒ２が物体側に凸の形状となって比較的強い光束発散作用を持ち、軸外において外方のコマ収差を発生させる。負レンズＬ１と正レンズＬ２の接合レンズ全体としてコマ収差の残存量が大きければ、第１レンズ群Ｇ１をティルトさせたときに全系において生じる偏芯コマ収差も大きくなりやすい。第１レンズ群を通過する軸上光束の径が大きくなり、第２レンズ群Ｇ２以降の合成系の結像倍率の大きい望遠端において、この偏芯コマの影響はより顕著となる。したがって接合面Ｒ２で発生するコマ収差を第１レンズ群Ｇ１内で補正しなければならない。
【００４３】
本発明においては負レンズＬ１の物体側面Ｒ１を物体側凸としてその曲率を強くし、この面で内方のコマ収差を発生させることで、負レンズＬ１と正レンズＬ２の接合面Ｒ２で発生するコマ収差をほぼ打ち消す構成とすることで、第１レンズ群Ｇ１のコマ収差を補正し、第１レンズ群Ｇ１のティルトによる望遠端の像面ティルト補正を行った際の偏芯コマ収差の発生を抑制した。
【００４４】
負レンズＬ１の物体側面Ｒ１と負レンズＬ１と正レンズＬ２の接合面Ｒ２で発生するコマ収差を打ち消しても、第１レンズ群Ｇ１内の別の面でコマ収差が発生してしまえば第１レンズ群Ｇ１のコマ収差は残存してしまう。本発明では更に正レンズＬ２の像側面Ｒ３を通過する軸上マージナル光線が、正レンズＬ２の像側面Ｒ３の面法線となす角を小さくすることで軸上近傍において球面収差とコマ収差の発生を抑える構成とした。
【００４５】
更に正レンズＬ３でのコマ収差発生を抑えるためには、正レンズＬ３の物体側レンズ面Ｒ４を通過する前後の軸上マージナル光線の偏角と、正レンズＬ３の像側レンズ面Ｒ５を通過する前後の軸上マージナル光線の偏角とを、略等しく設定することが望ましい。
【００４６】
以下の条件式を満足するよう構成されている。
（１）０．３０＜ｆ１／ｆｔ＜０．５５
（２）８．２＜｜ｆｔ／ｆ２｜＜１０．７
（３）−０．８５＜｛（ｎ２−ｎ１）／ｒ２｝／｛（ｎ１−１）／ｒ１｝＜−０．５０
（４）０．５０＜ｒ３／ｂｆ１＜２.００
ｆｉ：前記第ｉレンズ群の合成焦点距離
ｆｔ：望遠端かつ無限遠合焦状態における光学系全系の合成焦点距離
ｒｉ：光学系の物体側から第ｉ番目の光学面の曲率半径
ｎｉ：光学系の物体側から第ｉ番目と第ｉ＋１番目の光学面の間の媒質のｄ線（波長５８７．５６ｎｍ）屈折率
ｂｆ１：前記負レンズＬ１と前記正レンズＬ２からなる接合レンズのもっとも像側の面頂点から当該接合レンズの像側焦点までの距離
【００４７】
本発明の変倍結像光学系の満たすべき条件式(１)は、望遠端における全系の合成焦点距離と第１レンズ群の合成焦点距離の関係を規定し、光学系の全長短縮と鏡筒の軽量化に関して望ましい範囲を示したものである。
【００４８】
条件式（１）の上限を上回って第１レンズ群Ｇ１の焦点距離が全系の合成焦点距離に対して長くなると、望遠端における光学系全長が長くなって第１レンズ群Ｇ１の移動量が増加し移動機構に負荷がかかり、第１レンズ群Ｇ１の偏芯が生じやすくなるために鏡筒の強度が求められて鏡筒重量が増加し、また変倍操作に難が出る。
【００４９】
条件式（１）の下限を下回って第１レンズ群Ｇ１の焦点距離が全系の合成焦点距離に対して短くなると、望遠端における第２レンズ群Ｇ２以降の合成系の結像倍率が高くなりすぎて望遠端における軸上色収差等諸収差の補正が難しくなるほか、第１レンズ群Ｇ１の製造誤差に対する収差変動が大きくなって製品の性能を担保することが難しい。
【００５０】
なお、条件式（１）について、望ましくはその下限値を０．３４に、より望ましくは下限値を０．３７に、また上限値を０．５２に、より望ましくは上限値を０．４９に規定することで、前述の効果をより確実にすることができる。
【００５１】
本発明の変倍結像光学系の満たすべき条件式(２)は、望遠端における全系の合成焦点距離と第２レンズ群Ｇ２の合成焦点距離の関係を規定し、第１レンズ群Ｇ１及び第２レンズ群Ｇ２の移動量の削減に関して望ましい範囲を示したものである。
【００５２】
条件式（２）の上限を上回って第２レンズ群Ｇ２の負の屈折力が強くなると、第２レンズ群Ｇ２において発生する色収差や球面収差等の発生が大きくなって変倍時の収差変動が大きくなりやすい。
【００５３】
条件式（２）の下限を下回って第２レンズ群Ｇ２の負の屈折力が弱くなると、変倍に要する第１レンズ群Ｇ１と第２レンズ群Ｇ２の間隔変化量が大きくなりすぎて第１レンズ群Ｇ１及び第２レンズ群Ｇ２の移動量が増加する。
【００５４】
なお、条件式（２）について、望ましくはその下限値を８．３に、また上限値を１０．００に規定することで、前述の効果をより確実にすることができる。
【００５５】
本発明の変倍結像光学系の満たすべき条件式(３)および（４）は、第１レンズ群を構成する負レンズＬ１および正レンズＬ２の曲率半径や硝材の屈折率を規定し、第１レンズ群のコマ収差を良好に補正し、ひいては第１レンズ群をティルトさせて望遠端における製造誤差による像面のティルトを補正するために好ましい範囲を示したものである。
【００５６】
条件式（３）の上限を上回ると負レンズＬ１通過前後での軸上マージナル光線の偏角が小さくなってしまい、負レンズＬ１が第１レンズ群Ｇ１の球面収差、軸上および倍率の色収差の補正に寄与しなくなるため、第１レンズ群Ｇ１全体として適切な光学性能を得られない。
【００５７】
条件式（３）の下限を下回ると負レンズＬ１の物体側面Ｒ１で発生するコマ収差が小さくなって、負レンズＬ１と正レンズＬ２の接合面Ｒ２の発生させるコマ収差の和を打ち消すことができなくなり、第１レンズ群Ｇ１をティルトさせて望遠端における製造誤差による像面のティルトを補正する際に副作用として発生する偏芯コマ収差を抑制することが難しい。
【００５８】
なお、条件式（３）について、望ましくはその下限値を−０．８０に、また上限値を−０．６５に規定することで、前述の効果をより確実にすることができる
【００５９】
条件式（４）の上限ないし下限を超えると正レンズＬ２の像側面Ｒ３通過前後での軸上マージナル光線の偏角が大きくなって球面収差およびコマ収差を発生させてしまい、第１レンズ群Ｇ１をティルトさせて望遠端における製造誤差による像面のティルトを補正する際に副作用として発生する偏芯コマ収差を抑制することが難しい。
【００６０】
なお、条件式（４）について、望ましくはその下限値を０．６０に、より望ましくは下限値を０．６７に、また上限値を１．９５に、より望ましくは上限値を１．９２に規定することで、前述の効果をより確実にすることができる。
【００６１】
また、本発明は以下の条件式を満足するよう構成される。
（５）０．３０＜ｈｔ／ｒ２＜０．４５
ただし、
ｈｔ：望遠端かつ無限遠合焦状態における入射瞳の半径
ｒｉ：光学系の物体側から第ｉ番目の光学面の曲率半径
【００６２】
条件式（５）は負レンズＬ１と正レンズＬ２の接合面Ｒ２の曲率半径と、望遠端における入射瞳半径の比を規定し、本発明の構成が特に効果を発揮する条件を示したものである。
【００６３】
条件式（５）の下限を下回って入射瞳の半径が小さくなると負レンズＬ１と正レンズＬ２の接合面Ｒ２で発生するコマ収差がそもそも小さくなって、第１レンズ群Ｇ１のティルトに伴う偏芯コマ収差の変動が深刻な問題とならないが、負レンズＬ１と正レンズＬ２の接合面Ｒ２による球面収差や軸上および倍率色収差の補正効果が得られなくなるので、特に入射瞳径の大きくなる望遠端において全系の収差を補正することが困難となり、あるいは望遠端において光学全長を短縮することが困難となる。
【００６４】
条件式（５）の上限を上回って入射瞳の半径が大きくなって曲率半径に接近すると、負レンズＬ１と正レンズＬ２の接合面Ｒ２で発生するコマ収差が大きくなりすぎてそもそも光学系全系としての補正すら困難となって光学系の性能が著しく低下する。
【００６５】
なお、条件式（５）について、望ましくはその下限値を０．３２に、また上限値を０．４０に規定することで、前述の効果をより確実にすることができる。
【００６６】
また、本発明は以下の条件式を満足するよう構成される。
（６）８．５０＜ｆｔ／ｆｗ
（７）０．５５＜ＬＴ／ｆｔ＜０．８５
ただし、
ｆｔ：望遠端かつ無限遠合焦状態における光学系全系の合成焦点距離
ｆｗ：広角端端かつ無限遠合焦状態における光学系全系の合成焦点距離
ＬＴ：望遠端かつ無限遠合焦状態における光学系の最も物体側の光学面から像までの長さ
【００６７】
条件式（６）は本発明の光学系の変倍結像光学系の目指すべき変倍比を規定するものである。
【００６８】
本条件式（６）は仕様に属するべきものであるが、本発明において解決されるべき問題点は変倍比が大きいほど顕著に発生するものであって、本発明の構成の前提となる条件である。条件式（６）の下限を下回れば所望の変倍比を達成できないが本発明の解決すべき課題も大幅に緩和される。
【００６９】
なお、条件式（６）について、望ましくはその下限値を９．０に規定することで、前述の効果をより確実にすることができる。
【００７０】
条件式（７）は本発明の光学系の変倍結像光学系の目指すべき光学系全長を規定するものである。
【００７１】
本条件式（７）は仕様に属するものであるが、単に超望遠域の画角を達成するだけならば像高の低い部分を拡大しても達成可能ながら斯様な方法論に基づく光学系は最大像高に対して光学系全長が長くなりがちで鏡筒全体も大型化してしまい、本発明の目的に逆行する。
【００７２】
本条件式（７）を満たすことで所望の光学性能を達成することができる。
【００７３】
条件式（７）の上限を超えると、光学系全長が長くなりすぎ、鏡筒重量も過大になる。
【００７４】
一方、条件式（７）の下限を超えると光学系の誤差に対する収差変動感度が大きくなりすぎ、偏芯調整群の感度も高くなるため調整誤差に対する許容度も低くなってしまうため、偏芯調整を鑑みた上でも製品性能の期待値が低くなり過ぎる。
【００７５】
なお、条件式（７）について、望ましくはその下限値を０．６０に、また上限値を０．８３に規定することで、前述の効果をより確実にすることができる。
【００７６】
また、本発明の変倍結像光学系は、第２レンズ群Ｇ２は、少なくとも１枚ずつの正レンズと負レンズを有する構成をとる。
【００７７】
光学系の変倍比を大きくすると、第２レンズ群Ｇ２は広角端から望遠端への変倍によって大きくその結像倍率が変化し、第２レンズ群Ｇ２の結像倍率の変化に伴って第２レンズ群Ｇ２を通過する軸上マージナル光線または軸外主光線の高さが大きく変化するため、第２レンズ群Ｇ２の作用によって発生する軸上色収差および倍率色収差、コマ収差や非点収差といった諸収差の変倍に伴う変動が発生しやすい。
【００７８】
従って、変倍に伴うこれらの諸収差の変動を抑制するためには、第２レンズ群Ｇ２を少なくとも一枚ずつの正レンズと負レンズを含むように構成し、第２レンズ群単体としての収差発生を抑制することが望ましい。
【００７９】
また、本発明は、無限遠方から近距離への合焦に際して、第５レンズ群Ｇ５と第６レンズ群Ｇ６の群間隔が変換する構成をとる。
【００８０】
第６レンズ群Ｇ６は全長の短縮のために望遠端において結像倍率が大きくなるので、第５レンズ群Ｇ５と第６レンズ群Ｇ６の間隔の変化に対する結像点の位置変化の感度が高い。また第５レンズ群Ｇ５ないし第６レンズ群Ｇ６は光学系の比較的像側に位置するため、通過する光束が十分に収斂しておりその外径を小さくできる。従って、第５レンズ群Ｇ５ないし第６レンズ群Ｇ６のいずれかを光軸方向に移動させてその間隔を変化させ、無限遠方から近距離への合焦を行う構成とすることで、フォーカス群の移動量および重量を削減できて迅速な合焦に寄与する。
【００８１】
また、本発明は以下の条件式を満足するよう構成される。
（８）２．０＜β６＜４．０
ただし、
β６：第６レンズ群Ｇ６の望遠端かつ無限遠合焦状態における結像倍率
【００８２】
条件式（８）は第６レンズ群Ｇ６の結像倍率を規定し、近距離への合焦する際の合焦群の移動量に関して好ましい範囲を示したものである。
【００８３】
条件式（８）の下限を下回ると第６レンズ群Ｇ６の倍率が小さくなりすぎて、合焦に際しての合焦群の移動量が大きくなりすぎ、また光学系の全長が長くなって製品の小型化を阻害する。
【００８４】
条件式（８）の上限を上回ると第６レンズ群Ｇ６の倍率が大きくなりすぎて、合焦群の位置精度に非常に高いレベルが求められるほか、前の群で発生する収差が拡大されるため収差補正が難しくなり、また製造誤差に対する結像性能低下も大きくなりがちとなる。
【００８５】
なお、条件式（８）について、望ましくはその下限値を２．３に、また上限値を３．５に規定することで、前述の効果をより確実にすることができる。
【００８６】
また、本発明の変倍結像光学系は、無限遠方から近距離への合焦に際して、第６レンズ群Ｇ６が移動する構成をとる。
【００８７】
第６レンズ群Ｇ６においては正の屈折力を有する第５レンズ群Ｇ５の収斂作用によって軸上近軸光線高が低くなり、製造誤差によって偏芯が生じても偏芯コマ収差が発生しづらい。変倍時と合焦時の両方でレンズ群を移動させるためには機構が複雑化し誤差の要因が多くなるので、収差感度の低い第６レンズ群を合焦時に移動させる方が好ましい。
【００８８】
また、本発明は以下の条件式を満足するよう構成される。
（９）２．５０＜ｆ３／ｆ２＜６．００
（１０）１．００＜｜ｆ３ａ／ｆ３ｂ｜＜２．５０
ただし、
ｆｉ：第ｉレンズ群の合成焦点距離
ｆ３ａ：前記第３レンズ群前群Ｇ３ａの合成焦点距離
ｆ３ｂ：前記第３レンズ群後群Ｇ３ｂの合成焦点距離
【００８９】
前述のように、第３レンズ群Ｇ３は変倍時に静止させる。このためには第３レンズ群Ｇ３全体として屈折力を弱めて収差発生が少なくなるように設定すると第３レンズ群Ｇ３に起因する諸収差の変倍に伴う変動が少なくできるので好ましい。
【００９０】
条件式（９）は第３レンズ群Ｇ３と第２レンズ群Ｇ２の焦点距離の比を規定し、第３レンズ群Ｇ３全体を変倍時に静止させるために好ましい範囲を示したものである。
【００９１】
条件式（９）の下限を下回って第３レンズ群Ｇ３の屈折力が強くなると、第３レンズ群Ｇ３での収差発生を抑制することが難しくなって、変倍に伴う光学性能変化が大きくなってしまう。
【００９２】
条件式（９）の上限を上回って第３レンズ群Ｇ３の屈折力が弱くなると、負の屈折力を維持するため第２レンズ群Ｇ２の屈折力が強くなって、負の屈折力が光学系の物体寄りに遷移してレトロフォーカス型屈折力配置が強くなるので光学系の全長の短縮が難しい。
【００９３】
なお、条件式（９）について、望ましくはその下限値を２．８に、また上限値を５．８に規定することで、前述の効果をより確実にすることができる。
【００９４】
条件式（１０）は第３レンズ群Ｇ３内の第３レンズ群前群Ｇ３ａと第３レンズ群後群Ｇ３ｂの屈折力の比を規定し、第３レンズ群Ｇ３を変倍時に固定しつつ第３レンズ群後群Ｇ３ｂを防振群として実効的に機能させるために好ましい範囲を示したものである。
【００９５】
条件式（１０）の上限を上回って第３レンズ群後群Ｇ３ｂの負の屈折力が強くなると、第３レンズ群Ｇ３全体の屈折力を抑制することが困難となり、変倍時に収差変動が生じる。また、第３レンズ群後群Ｇ３ｂを光軸直交方向にシフトさせた際に発生する非点収差やコマ収差の変動も大きくなって実効的な防振性能が得られない。
【００９６】
条件式（１０）の下限を下回って第３レンズ群後群Ｇ３ｂの負の屈折力が弱くなると、第３レンズ群後群Ｇ３ｂを光軸直交方向にシフトさせた際に発生する横方向の像変位が小さくなるので、実効的な防振性能が得られない。または、必要な第３レンズ群後群Ｇ３ｂのシフト量が大きくなって鏡筒を径方向に大型化させてしまう。
【００９７】
なお、条件式（１０）について、望ましくはその下限値を１．１に、より望ましくは下限値を１．３に、また上限値を１．９に、より望ましくは上限値を１．６５に規定することで、前述の効果をより確実にすることができる。
【００９８】
また、本発明は以下の条件式を満足するよう構成される。
（１１）−１．５０＜β３ｂ＜−０．５０
（１２）０．８５＜ｆ２／ｆ３ｂ＜２．００
ただし、
β３ｂ：望遠端かつ無限遠合焦状態における３ｂ群の結像倍率
ｆｉ：前記第ｉレンズ群の合成焦点距離
ｆ３ｂ：前記第３レンズ群後群Ｇ３ｂの合成焦点距離
【００９９】
第３レンズ群Ｇ３全体としての屈折力を抑制する一方で、防振に用いる第３レンズ群後群Ｇ３ｂの光軸直交方向のシフトに対する像の変位量を大きくするため、第３レンズ群後群Ｇ３ｂには一定以上の屈折力を持たせる必要がある。
【０１００】
条件式（１１）は第３レンズ群後群Ｇ３ｂの望遠端における結像倍率を規定し、第３レンズ群後群Ｇ３ｂを防振に用いるにあたっての好ましい範囲を示したものである。
【０１０１】
条件式（１１）の上限を上回って第３レンズ群後群Ｇ３ｂの結像倍率の絶対値が小さくなると、第３レンズ群後群Ｇ３ｂの光軸直交方向のシフトに伴う横方向の像変位量が小さくなるので、実効的な防振性能が得られない。または必要な第３レンズ群後群Ｇ３ｂのシフト量が大きくなって鏡筒を径方向に大型化させてしまう。
【０１０２】
条件式（１１）の下限を下回って第３レンズ群後群Ｇ３ｂの結像倍率の絶対値が大きくなると、第３レンズ群後群Ｇ３ｂの光軸直交方向のシフトに伴う横方向の像変位量が大きくなり過ぎて、第３レンズ群後群Ｇ３ｂの位置制御の分解能に非常に高いものが要求され、結果として防振性能が低下してしまう。
【０１０３】
なお、条件式（１１）について、望ましくはその下限値を−１．３０に、また上限値を−０．６５に規定することで、前述の効果をより確実にすることができる。
【０１０４】
次に、条件式（１２）は第３レンズ群後群Ｇ３ｂの第２レンズ群Ｇ２に対する焦点距離を規定し、第３レンズ群後群Ｇ３ｂを防振に用いるにあたっての好ましい範囲を示したものである。
【０１０５】
条件式（１２）の上限を上回って第３レンズ群後群Ｇ３ｂの屈折力が強くなると、第３レンズ群後群Ｇ３ｂの光軸直交方向のシフトに伴う横方向の像変位量が大きくなり過ぎて、第３レンズ群後群Ｇ３ｂの位置制御の分解能に非常に高いものが要求される。結果として防振性能が低下してしまう。
【０１０６】
条件式（１２）の下限を下回って第３レンズ群後群Ｇ３ｂの屈折力が弱くなると、第３レンズ群後群Ｇ３ｂの光軸直交方向のシフトに伴う横方向の像変位量が小さくなるので、実効的な防振性能が得られず、または必要な第３レンズ群後群Ｇ３ｂのシフト量が大きくなって鏡筒が径方向に大型化し好ましくない。
【０１０７】
なお、条件式（１２）について、望ましくはその下限値を０．９５に、また上限値を１．５０に規定することで、前述の効果をより確実にすることができる。
【０１０８】
次に、本発明の防振機能を備えた変倍結像光学系に係る各実施例のレンズ構成と具体的な数値データについて説明する。尚、以下の説明ではレンズ構成を物体側から像側の順番で記載する。
【０１０９】
［面データ］において、面番号は物体側から数えたレンズ面又は開口絞りＳの番号、ｒは各面の曲率半径、ｄは各面の間隔、ｎｄはｄ線（波長λ＝５８７．５６ｎｍ）に対する屈折率、νｄはｄ線に対するアッベ数を示す。またＢＦはバックフォーカスを表す。
【０１１０】
面番号を付した（絞り）は、その位置に開口絞りＳが位置していることを示している。平面または開口絞りに対する曲率半径には∞（無限大）を記入している。
【０１１１】
［各種データ］には、焦点距離等の値を示している。
【０１１２】
［可変間隔データ］には、各撮影距離状態における可変間隔及びＢＦ（バックフォーカス）の値を示している。
【０１１３】
［レンズ群データ］には、各レンズ群を構成する最も物体側のレンズ面番号及びレンズ群全体の合成焦点距離を示している。
【０１１４】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１５】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【０１１６】
さらに図１、２３、４５、６７、８９、１１１、１３３、１５５に示すレンズ構成図において、Ｓは開口絞り、Ｉは像面、中心を通る一点鎖線は光軸である。
【実施例１】
【０１１７】
図１は、本発明の実施例１の防振機能を備えた変倍結像光学系のレンズ構成図である。
【０１１８】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１１９】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた平凸レンズＬ３から構成され、広角端から望遠端への変倍に際して像側から物体側へ移動する。
【０１２０】
第２レンズ群Ｇ２は、両凸レンズＬ４と両凹レンズＬ５からなる接合レンズと、物体側へ凸面を向けた負メニスカスレンズＬ６から構成され、広角端から望遠端への変倍に際して物体側から像側へ移動する。
【０１２１】
第３レンズ群Ｇ３は、正の屈折力を有する第３レンズ群前群Ｇ３ａと負の屈折力を有する第３レンズ群後群Ｇ３ｂより構成され、変倍に際して像面に対し固定されている。
【０１２２】
第３レンズ群前群Ｇ３ａは、両凸レンズＬ７と物体側に凸面を向けた正メニスカスレンズＬ８より構成される。
【０１２３】
第３レンズ群後群Ｇ３ｂは、両凹レンズＬ９と、両凹レンズＬ１０と両凸レンズＬ１１の接合レンズから構成されており、防振に際して光軸と直交する方向に駆動される。
【０１２４】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１２５】
また、第４レンズ群Ｇ４中の両凹レンズＧ１４と、正メニスカスレンズＬ１５の間の空気間隔中に開口絞りＳを備える。
【０１２６】
第５レンズ群Ｇ５は、物体側に凸面を向けた負メニスカスレンズＬ１９と、両凸レンズＬ２０と、両凸レンズＬ２１から構成され、広角端から望遠端への変倍に際して像側から物体側へ移動する。
【０１２７】
第６レンズ群Ｇ６は、像側に凸面を向けた正メニスカスレンズＬ２２と、両凹レンズＬ２３と、両凹レンズＬ２４と両凸レンズＬ２５の接合レンズから構成され、広角端から望遠端への変倍に際して像側から望遠側へ移動し、無限遠から近距離へのフォーカシングに際して物体側から像側へ移動する。
【０１２８】
続いて、以下に実施例１に係る変倍結像光学系の諸元値を示す。
数値実施例1
単位：mm
[面データ]
面番号        r         d        nd      vd
1      191.4478    3.0000   1.87071   40.73
2      113.3602   10.0505   1.49700   81.61
3     1000.0000    0.1500
4      125.6151   10.1084   1.43700   95.10
5            ∞        d5
6      133.4879    4.4571   1.80518   25.46
7     -498.8095    1.5000   1.87071   40.73
8       74.0328    3.2320
9      457.8311    1.5000   1.87071   40.73
10      68.7453       d10
11      96.7106    3.6537   1.60342   38.01
12    -537.0800    7.8844
13      51.0188    3.2604   1.51742   52.15
14     123.3817    4.8080
15    -490.1727    0.9000   1.75700   47.82
16      63.0806    4.1944
17     -48.5730    1.0000   1.61997   63.88
18      88.4615    3.1979   1.85478   24.80
19    -307.1652       d19
20     305.1027    3.5176   1.80610   33.27
21    -139.8486    0.5148
22      84.3581    3.8214   1.59349   67.00
23    -182.5452    1.0000   1.84666   23.78
24     811.1016    7.9000
25（絞り)       ∞    7.9164
26      48.7235    3.8942   1.58913   61.25
27     183.5032    0.1500
28      67.2019    0.9000   1.95375   32.32
29      39.2014    2.0725
30      53.4025    6.1050   1.43700   95.10
31     -53.4025    1.0000   1.91082   35.25
32    -308.2583       d32
33     251.9085    0.9000   1.87071   40.73
34      71.7942   10.0309
35     303.8818    4.2555   1.56883   56.04
36     -89.4946    0.1500
37      59.1502    4.3580   1.62041   60.34
38    -376.9348       d38
39    -216.5223    2.9225   1.67300   38.15
40     -72.3284    0.7528
41    -151.7296    1.0000   1.43700   95.10
42      44.3172   19.9501
43     -35.2519    0.9000   1.95375   32.32
44     118.4711    4.3638   1.85478   24.80
45     -51.0206        BF
像面          ∞
[各種データ]
ズーム比        9.31
広角       中間     望遠
焦点距離       62.03    183.64    577.73
Fナンバー        4.48      5.55      6.50
全画角2ω       39.35     13.32      4.23
像高Y         21.63     21.63     21.63
レンズ全長     307.89    364.39    407.88
[可変間隔データ]
広角
無限遠   有限遠距離  有限近距離
撮影距離         inf       13m        2.6m
d5          4.4174    4.4174      4.4174
d10         34.7575   34.7575     34.7575
d19         51.3574   51.3574     51.3574
d32         10.3019   10.3019     10.3019
d38          2.1949    2.2771      2.6364
BF         53.5844   53.5021     53.1429
中間
無限遠   有限遠距離  有限近距離
撮影距離        inf        13m        2.6m
d5         81.0011   81.0011     81.0011
d10         14.6816   14.6816     14.6816
d19         26.1367   26.1367     26.1367
d32          6.2172    6.2172      6.2172
d38          7.8423    8.3089     10.2351
BF         77.2424   76.7756     74.8497
望遠
無限遠   有限遠距離  有限近距離
撮影距離        inf        13m        2.6m
d5        134.6875   134.6875    134.6875
d10          4.4816     4.4816      4.4816
d19           2.013      2.013       2.013
d32         12.3614    12.3614     12.3614
d38           4.389     7.7134     20.2935
BF         98.6753    95.3509     82.7706
[レンズ群データ]
群        始面     焦点距離
G1          1        237.55
G2          6        -60.92
G3         11       -246.41
G4         20         66.30
G5         33         72.87
G6         39        -57.90
G3a         11         76.82
G3b         15        -47.40
【０１２９】
図２３は、本発明の実施例２の結像光学系のレンズ構成図である。
【０１３０】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１３１】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１３２】
第２レンズ群Ｇ２は、両凸レンズＬ４と両凹レンズＬ５からなる接合レンズと、両凹レンズＬ６から構成され、広角端から望遠端への変倍に際して物体側から像側へ移動する。
【０１３３】
第３レンズ群Ｇ３は、正の屈折力を有する第３レンズ群前群Ｇ３ａと負の屈折力を有する第３レンズ群後群Ｇ３ｂより構成され、変倍に際して像面に対し固定されている。
【０１３４】
第３レンズ群前群Ｇ３ａは物体側より順に、像側に凸面を向けた正メニスカスレンズＬ７と物体側に凸面を向けた正メニスカスレンズＬ８より構成される。
【０１３５】
第３レンズ群後群Ｇ３ｂは物体側より順に、両凹レンズＬ９と、両凹レンズＬ１０と両凸レンズＬ１１の接合レンズから構成されており、防振に際して光軸と直交する方向に駆動される。
【０１３６】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１３７】
また、第４レンズ群中の両凹レンズＧ１４と、正メニスカスレンズＬ１５の間の空気間隔中に開口絞りＳを備える。
【０１３８】
第５レンズ群Ｇ５は、物体側に凸面を向けた負メニスカスレンズＬ１９と、両凸レンズＬ２０と、物体側に凸面を向けた正メニスカスレンズＬ２１から構成され、広角端から望遠端への変倍に際して像側から物体側へ移動する。
【０１３９】
第６レンズ群Ｇ６は、像側に凸面を向けた正メニスカスレンズＬ２２と、両凹レンズＬ２３と、像側に凸面を向けた負メニスカスレンズＬ２４と像側に凸面を向けた正メニスカスレンズＬ２５の接合レンズから構成され、広角端から望遠端への変倍に際して像側から望遠側へ移動し、無限遠から近距離へのフォーカシングに際して物体側から像側へ移動する。
【０１４０】
続いて、以下に実施例２に係る変倍結像光学系の諸元値を示す。
数値実施例2
単位：mm
[面データ]
面番号          r         d        nd       vd
1       183.9776    3.0000   1.87071   40.73
2       111.6695    9.2434   1.49700   81.61
3      1038.7357    0.1500
4       124.1632    8.8849   1.43700   95.10
5     11713.5228      (d5)
6       260.4098    5.4297   1.80518   25.46
7      -136.5425    1.5000   1.87071   40.73
8        51.5497    5.7567
9     -1915.0039    1.5000   1.87071   40.73
10       356.5338     (d10)
11      -289.1074    3.5298   1.58267   46.42
12       -79.3512    0.1500
13        43.9807    3.2535   1.55032   75.50
14       108.8223    4.8012
15      -255.4092    0.9000   1.72916   54.67
16        65.2039    3.7710
17       -45.0305    1.0000   1.59522   67.73
18       100.1168    2.9967   1.85478   24.80
19      -204.2069     (d19)
20       249.0594    3.4298   1.80000   29.84
21      -151.6575    0.1500
22       108.2241    3.6712   1.62041   60.29
23      -105.6058    1.0000   1.84666   23.78
24     -1920.6391    7.9000
25（絞り)         ∞   11.8488
26        52.3784    3.6236   1.60738   56.82
27       208.1356    0.1500
28        69.6524    0.9000   1.95375   32.32
29        42.3726    1.7616
30        52.3700    5.6639   1.43700   95.10
31       -52.3700    1.0000   1.91082   35.25
32      -329.3310     (d32)
33       189.2374    0.9000   1.87071   40.73
34        68.1615   12.8928
35       211.1402    5.0154   1.55032   75.50
36       -79.2839    0.1500
37        54.2332    4.3821   1.61772   49.81
38       658.9183     (d38)
39      -203.4089    3.2142   1.66672   48.32
40       -66.1828    0.6308
41      -246.7154    1.0000   1.43700   95.10
42        36.3220   16.6535
43       -28.4439    0.9000   1.95375   32.32
44      -124.5438    3.6090   1.84666   23.78
45       -38.6568      (BF)
像面            ∞
[各種データ]
ズーム比        9.46
広角       中間     望遠
焦点距離       51.58    162.07   488.17
Fナンバー       4.46      5.55     6.51
全画角2ω      46.99     15.03     4.99
像高Y        21.63     21.63    21.63
レンズ全長     307.18    358.10   402.20
[可変間隔データ]
広角
無限遠   有限遠距離  有限近距離
撮影距離       inf        13m         2.6m
d5          5.4721     5.4721      5.4721
d10        40.6626    40.6626     40.6626
d19        53.4398    53.4398     53.4398
d32         5.6835     5.6835      5.6835
d38         2.6085     2.6697      2.9376
BF         53.0015    52.9402     52.6723
中間
無限遠   有限遠距離  有限近距離
撮影距離       inf        13m          2.6m
d5         81.2387    81.2387      81.2387
d10        15.8150    15.8150      15.8150
d19        26.4382    26.4382      26.4382
d32         2.6850     2.6850       2.6850
d38         7.5629     7.9448       9.5227
BF         78.0474    77.6658      76.0876
望遠
無限遠   有限遠距離  有限近距離
撮影距離       inf        13m         2.6m
d5        131.8230   131.8230    131.8230
d10         9.3250     9.3250      9.3250
d19         2.0000     2.0000      2.0000
d32         9.2546     9.2546      9.2546
d38         5.4174     7.9614     17.4802
BF         98.0614    95.5177     85.9986
[レンズ群データ]
群        始面       焦点距離
G1          1         229.00
G2          6         -58.11
G3         11        -190.43
G4         20          66.71
G5         33          70.21
G6         39         -60.22
G3a        11          76.72
G3b        15         -48.65
【０１４１】
図４５は、本発明の実施例３の結像光学系のレンズ構成図である。
【０１４２】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１４３】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１４４】
第２レンズ群Ｇ２は、物体側に凸面を向けた正メニスカスレンズＬ４と物体側に凸面を向けた負メニスカスレンズＬ５からなる接合レンズと、物体側に凸面を向けた負メニスカスレンズＬ６から構成され、広角端から望遠端への変倍に際して物体側から像側へ移動する。
【０１４５】
第３レンズ群Ｇ３は物体側から順に、正の屈折力を有する第３レンズ群前群Ｇ３ａと負の屈折力を有する第３レンズ群後群Ｇ３ｂより構成され、変倍に際して像面に対し固定されている。
【０１４６】
第３レンズ群前群Ｇ３ａは、両凸レンズＬ７と物体側に凸面を向けた正メニスカスレンズＬ８より構成される。
【０１４７】
第３レンズ群後群Ｇ３ｂは、両凹レンズＬ９と、両凹レンズＬ１０と両凸レンズＬ１１の接合レンズから構成されており、防振に際して光軸と直交する方向に駆動される。
【０１４８】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１４９】
また、第４レンズ群Ｇ４中の両凹レンズＧ１４と、正メニスカスレンズＬ１５の間の空気間隔中に開口絞りＳを備える。
【０１５０】
第５レンズ群Ｇ５は、物体側に凸面を向けた負メニスカスレンズＬ１９と、両凸レンズＬ２０と、両凸レンズＬ２１から構成され、広角端から望遠端への変倍に際して像側から物体側へ移動する。
【０１５１】
第６レンズ群Ｇ６は、像側に凸面を向けた正メニスカスレンズＬ２２と、両凹レンズＬ２３と、像側に凸面を向けた負メニスカスレンズＬ２４から構成され、広角端から望遠端への変倍に際して像側から望遠側へ移動し、無限遠から近距離へのフォーカシングに際して物体側から像側へ移動する。
【０１５２】
続いて、以下に実施例３に係る変倍結像光学系の諸元値を示す。
数値実施例3
単位：mm
[面データ]
面番号        r           d        nd      vd
1       180.3873    3.0000   1.87071   40.73
2       107.4126    9.1595   1.49700   81.61
3      1500.0000    0.1500
4       112.9244    8.5645   1.43700   95.10
5      1719.2821      (d5)
6       173.2640    3.3027   1.80809   22.76
7       904.2710    1.5000   1.87071   40.73
8        50.9405    5.1528
9       247.9259    1.5000   1.87071   40.73
10        97.8521     (d10)
11       601.2607    4.0012   1.62004   36.30
12      -120.8642    6.5594
13        41.5067    3.6039   1.51742   52.15
14       115.5161    4.7897
15      -692.5670    0.9000   1.72916   54.67
16        56.4878    4.0080
17       -43.1576    1.0000   1.59522   67.73
18        82.8474    3.0520   1.85478   24.80
19      -277.0573     (d19)
20       395.7015    2.9293   1.80420   46.50
21      -210.1387    0.1535
22        60.7452    4.2868   1.61997   63.88
23      -129.1969    1.0000   1.85025   30.05
24       385.3962    3.9000
25（絞り)         ∞   19.6439
26        60.9906    3.9364   1.60311   60.69
27       348.1042    0.1500
28        55.0197    0.9000   1.95375   32.32
29        36.3686    2.0483
30        49.6729    5.7977   1.43700   95.10
31       -49.6729    1.0000   1.91082   35.25
32      -197.6641     (d32)
33       487.0709    0.9000   1.88300   40.80
34        82.0305    1.0231
35       246.6120    3.9357   1.55032   75.50
36      -120.5742    0.1502
37        60.2847   10.4257   1.62004   36.30
38      -284.1651     (d38)
39      -184.5937    3.1443   1.67270   32.17
40       -60.4393    1.2634
41       -82.7876    1.0000   1.43700   95.10
42        38.9711   11.9188
43       -31.3723    0.9000   1.65844   50.85
44       -41.3921      (BF)
像面            ∞
[各種データ]
ズーム比        9.59
広角      中間      望遠
焦点距離       51.50    159.72    493.91
Fナンバー       4.41      5.57      6.55
全画角2ω      46.31     15.22      4.94
像高Y        21.63     21.63     21.63
レンズ全長     295.25    343.87    384.36
[可変間隔データ]
広角
無限遠   有限遠距離  有限近距離
撮影距離        inf        13m        2.6m
d5          4.0000     4.0000      4.0000
d10        34.0008    34.0008     34.0008
d19        52.6627    52.6627     52.6627
d32         7.2938     7.2938      7.2938
d38         2.1409     2.2214      2.5729
BF         54.5048    54.4242     54.0728
中間
無限遠   有限遠距離  有限近距離
撮影距離        inf       13m         2.6m
d5         74.0285    74.0285     74.0285
d10        12.5874    12.5874     12.5874
d19        26.6098    26.6098     26.6098
d32         3.5463     3.5463      3.5463
d38         7.8799     8.3759     10.4435
BF         78.5663    78.0704     76.0025
望遠
無限遠   有限遠距離  有限近距離
撮影距離       inf        13m         2.6m
d5        122.2674   122.2674    122.2674
d10         4.8365     4.8365      4.8365
d19         2.0000     2.0000      2.0000
d32        11.1149    11.1149     11.1149
d38         4.2034     7.6861      21.638
BF         99.2839     95.801     81.8491
[レンズ群データ]
群        始面     焦点距離
G1          1        216.79
G2          6        -55.97
G3         11       -251.12
G4         20         66.14
G5         33         93.87
G6         39        -70.49
G3a        11         71.51
G3b        15        -46.02
【０１５３】
図６７は、本発明の実施例４の結像光学系のレンズ構成図である。
【０１５４】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１５５】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１５６】
第２レンズ群Ｇ２は、物体側へ凸面を向けた正メニスカスレンズＬ４と物体側へ凸面を向けた負メニスカスレンズＬ５からなる接合レンズと、物体側へ凸面を向けた負メニスカスレンズＬ６から構成され、広角端から望遠端への変倍に際して物体側から像側へ移動する。
【０１５７】
第３レンズ群Ｇ３は、正の屈折力を有する第３レンズ群前群Ｇ３ａと負の屈折力を有する第３レンズ群後群Ｇ３ｂより構成され、変倍に際して像面に対し固定されている。
【０１５８】
第３レンズ群前群Ｇ３ａは、両凸レンズＬ７と物体側に凸面を向けた正メニスカスレンズＬ８より構成される。
【０１５９】
第３レンズ群後群Ｇ３ｂは、両凹レンズＬ９と、両凹レンズＬ１０と両凸レンズＬ１１の接合レンズから構成されており、防振に際して光軸と直交する方向に駆動される。
【０１６０】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１６１】
また、第４レンズ群Ｇ４中の両凹レンズＧ１４と、正メニスカスレンズＬ１５の間の空気間隔中に開口絞りＳを備える。
【０１６２】
第５レンズ群Ｇ５は、物体側に凸面を向けた負メニスカスレンズＬ１９と、両凸レンズＬ２０と、両凸レンズＬ２１から構成され、広角端から望遠端への変倍に際して像側から物体側へ移動する。
【０１６３】
第６レンズ群Ｇ６は、両凸レンズＬ２２と、両凹レンズＬ２３と、像側に凸面を向けた負メニスカスレンズＬ２４と像側に凸面を向けた正メニスカスレンズＬ２５の接合レンズから構成され、広角端から望遠端への変倍に際して像側から望遠側へ移動し、無限遠から近距離へのフォーカシングに際して物体側から像側へ移動する。
【０１６４】
続いて、以下に実施例４に係る変倍結像光学系の諸元値を示す。
数値実施例4
単位：mm
[面データ]
面番号        r         d        nd       vd
1       171.9924   3.0000   1.87071   40.73
2       106.9087  10.5044   1.49700   81.61
3       737.3729   0.1500
4       120.5906  10.0362   1.43700   95.10
5      3220.6046     (d5)
6       140.6883   2.9241   1.80518   25.46
7       375.3061   1.5000   1.87071   40.73
8        56.3665   3.7501
9       212.5784   1.5000   1.87071   40.73
10        78.0206    (d10)
11        82.2798   4.4358   1.64769   33.84
12      -763.8860   6.3116
13        46.7524   3.3924   1.51742   52.15
14        92.4670   5.4909
15     -3552.1258   0.9000   1.74320   49.34
16        57.4220   4.3820
17       -45.6440   1.0000   1.61997   63.88
18        84.2074   3.1611   1.84666   23.78
19      -345.4298    (d19)
20       379.2215   5.6272   1.80420   46.50
21      -111.5690   0.1500
22        80.1576   3.8547   1.51742   52.15
23      -164.2052   1.0000   1.92119   23.96
24       493.2938   7.9000
25（絞り)         ∞   5.0000
26        36.7697   4.5935   1.49700   81.61
27       117.0459   3.7180
28        40.9541   0.9000   1.95375   32.32
29        29.6940   2.8838
30        53.8220   5.4378   1.43700   95.10
31       -53.8220   1.0000   1.91082   35.25
32      -366.1637    (d32)
33       249.9802   0.9000   1.87071   40.73
34        79.1212   7.3074
35       185.5004   3.1609   1.54814   45.82
36       -91.3091   0.1500
37        55.9557   4.0714   1.54814   45.82
38     -1561.2362    (d38)
39      1304.8163   3.2247   1.62004   36.30
40       -72.7317   1.2945
41       -91.9317   1.0000   1.49700   81.61
42        35.4876  15.1550
43       -33.8892   0.9000   1.95375   32.32
44       -82.7667   2.8209   1.85478   24.80
45       -42.4486     (BF)
像面            ∞
[各種データ]
ズーム比        9.32
広角     中間      望遠
焦点距離       62.05   177.71    578.40
Fナンバー       4.43     5.50      6.50
全画角2ω      38.92    13.71      4.21
像高Y        21.63    21.63     21.63
レンズ全長     297.68   349.57    393.58
[可変間隔データ]
広角
無限遠   有限遠距離  有限近距離
撮影距離       inf       13m         2.6m
d5          4.0000    4.0000      4.0000
d10        33.2448   33.2448     33.2448
d19        51.3427   51.3427     51.3427
d32         6.6721    6.6721      6.6721
d38         3.3073    3.3949      3.7767
BF         54.6218   54.5341     54.1524
中間
無限遠   有限遠距離  有限近距離
撮影距離       inf        13m          2.6m
d5         76.3056    76.3056      76.3056
d10        12.8328    12.8328      12.8328
d19        28.2208    28.2208      28.2208
d32         2.0000     2.0000       2.0000
d38         7.7754      8.248      10.2056
BF         77.9479    77.4752      75.5178
望遠
無限遠   有限遠距離  有限近距離
撮影距離       inf         13m        2.6m
d5        129.1227    129.1227    129.1227
d10         4.0283      4.0283      4.0283
d19         2.0000      2.0000      2.0000
d32        12.4798     12.4798     12.4798
d38         1.9972      5.6345     19.8088
BF         99.4669     95.8297     81.6552
[レンズ群データ]
群        始面      焦点距離
G1          1        229.42
G2          6        -60.27
G3         11       -327.21
G4         20         64.60
G5         33         78.45
G6         39        -61.61
G3a        11         71.46
G3b        15        -45.68
【０１６５】
図８９は、本発明の実施例５の結像光学系のレンズ構成図である。
【０１６６】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１６７】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１６８】
第２レンズ群Ｇ２は、両凸レンズＬ４と両凹レンズＬ５からなる接合レンズと、物体側へ凸面を向けた負メニスカスレンズＬ６から構成され、広角端から望遠端への変倍に際して物体側から像側へ移動する。
【０１６９】
第３レンズ群Ｇ３は物体側から順に、正の屈折力を有する第３レンズ群前群Ｇ３ａと負の屈折力を有する第３レンズ群後群Ｇ３ｂより構成され、変倍に際して像面に対し固定されている。
【０１７０】
第３レンズ群前群Ｇ３ａは、両凸レンズＬ７と物体側に凸面を向けた正メニスカスレンズＬ８より構成される。
【０１７１】
第３レンズ群後群Ｇ３ｂは、両凹レンズＬ９と、両凹レンズＬ１０と両凸レンズＬ１１の接合レンズから構成されており、防振に際して光軸と直交する方向に駆動される。
【０１７２】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１７３】
また、第４レンズ群Ｇ４中の両凹レンズＧ１４と、正メニスカスレンズＬ１５の間の空気間隔中に開口絞りＳを備える。
【０１７４】
第５レンズ群Ｇ５は、物体側に凸面を向けた負メニスカスレンズＬ１９と、両凸レンズＬ２０と、物体側に凸面を向けた正メニスカスレンズＬ２１から構成され、広角端から望遠端への変倍に際して像側から物体側へ移動する。
【０１７５】
第６レンズ群Ｇ６は、両凸レンズＬ２２と、両凹レンズＬ２３と、両凹レンズＬ２４と両凸レンズＬ２５の接合レンズから構成され、広角端から望遠端への変倍に際して像側から望遠側へ移動し、無限遠から近距離へのフォーカシングに際して物体側から像側へ移動する。
【０１７６】
続いて、以下に実施例５に係る変倍結像光学系の諸元値を示す。
数値実施例5
単位：mm
[面データ]
面番号         r         d         nd       vd
1       193.9183    3.0000   1.87071   40.73
2       112.7009   10.6601   1.49700   81.61
3      1954.6224    0.1500
4       115.4053   10.2252   1.43700   95.10
5      1909.8680      (d5)
6       125.0396    4.0633   1.80518   25.46
7     -8685.5213    1.5000   1.87071   40.73
8        56.9223    3.6694
9       215.6973    1.5000   1.87071   40.73
10        71.6254     (d10)
11       106.7759    4.3569   1.62004   36.30
12      -253.2720    6.1339
13        41.5419    3.4109   1.51680   64.20
14        74.4874    5.5127
15     -3606.5946    0.9000   1.74320   49.34
16        57.7292    4.4098
17       -44.4736    1.0000   1.61997   63.88
18        89.2171    3.2201   1.85478   24.80
19      -242.2676     (d19)
20       254.2966    3.3635   1.80610   33.27
21      -163.4129    0.1500
22        58.5932    3.8645   1.59349   67.00
23      -616.5772    1.0000   1.85478   24.80
24       135.9209    7.9000
25（絞り)         ∞    5.0080
26        55.2100    4.1271   1.51680   64.20
27       985.6996    0.2023
28        45.5011    0.9000   1.95375   32.32
29        33.2247    2.5855
30        55.0730    5.5390   1.43700   95.10
31       -55.0730    1.0000   1.91082   35.25
32      -611.6706     (d32)
33       108.6949    0.9000   1.87071   40.73
34        72.1846   12.4091
35       117.8829    4.0484   1.54072   47.20
36      -105.3095    0.1500
37        62.1923    3.6393   1.55032   75.50
38       314.3486     (d38)
39       460.4669    2.9171   1.67300   38.15
40      -117.9258    1.1550
41      -222.3699    1.0000   1.43700   95.10
42        29.3273   10.8668
43       -45.5274    0.9000   1.95375   32.32
44       323.5961    3.2003   1.85478   24.80
45       -64.0272      (BF)
像面            ∞
[各種データ]
ズーム比        9.32
広角      中間      望遠
焦点距離       62.07    180.98    578.34
Fナンバー       4.45      5.52      6.50
全画角2ω      38.65     13.42      4.21
像高Y        21.63     21.63     21.63
レンズ全長     297.37    348.55    390.08
[可変間隔データ]
広角
無限遠   有限遠距離  有限近距離
撮影距離      inf       13m         2.6m
d5         4.0000    4.0000      4.0000
d10       33.8685   33.8685     33.8685
d19       50.8036   50.8036     50.8036
d32        6.5986    6.5986      6.5986
d38        5.0364    5.1218      5.4935
BF        56.5239   56.4384     56.0670
中間
無限遠   有限遠距離  有限近距離
撮影距離      inf       13m         2.6m
d5        75.7681    75.7681     75.7681
d10       13.2773    13.2773     13.2773
d19       28.0374    28.0374     28.0374
d32        2.1055     2.1055      2.1055
d38        8.5152     8.9821     10.9095
BF        80.3043    79.8376     77.9100
望遠
無限遠   有限遠距離  有限近距離
撮影距離       inf        13m         2.6m
d5         126.036    126.036     126.036
d10         4.5449     4.5449      4.5449
d19         2.0000     2.0000      2.0000
d32        13.4942    13.4942     13.4942
d38         2.0874     5.5385     18.7932
BF        101.3808    97.9294     84.6750
[レンズ群データ]
群        始面     焦点距離
G1          1        224.38
G2          6        -59.44
G3         11       -333.47
G4         20         68.21
G5         33         73.44
G6         39        -58.36
G3a        11         73.18
G3b        15        -47.50
【０１７７】
図１１１は、本発明の実施例６の結像光学系のレンズ構成図である。
【０１７８】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１７９】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１８０】
第２レンズ群Ｇ２は、物体側へ凸面を向けた正メニスカスレンズＬ４と物体側へ凸面を向けた負メニスカスレンズＬ５からなる接合レンズと、物体側へ凸面を向けた負メニスカスレンズＬ６から構成され、広角端から望遠端への変倍に際して物体側から像側へ移動する。
【０１８１】
第３レンズ群Ｇ３は物体側から順に、正の屈折力を有する第３レンズ群前群Ｇ３ａと負の屈折力を有する第３レンズ群後群Ｇ３ｂより構成され、変倍に際して像面に対し固定されている。
【０１８２】
第３レンズ群前群Ｇ３ａは、両凸レンズＬ７と物体側に凸面を向けた正メニスカスレンズＬ８より構成される。
【０１８３】
第３レンズ群後群Ｇ３ｂは、物体側へ凸面を向けた負メニスカスレンズＬ９と、両凹レンズＬ１０と両凸レンズＬ１１の接合レンズから構成されており、防振に際して光軸と直交する方向に駆動される。
【０１８４】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１８５】
また、第４レンズ群Ｇ４中の両凹レンズＧ１４と、正メニスカスレンズＬ１５の間の空気間隔中に開口絞りＳを備える。
【０１８６】
第５レンズ群Ｇ５は、物体側に凸面を向けた負メニスカスレンズＬ１９と、両凸レンズＬ２０と、物体側に凸面を向けた正メニスカスレンズＬ２１から構成され、広角端から望遠端への変倍に際して像側から物体側へ移動し、無限遠から近距離へのフォーカシングに際して像側から物体側へ移動する。
【０１８７】
第６レンズ群Ｇ６は、両凸レンズＬ２２と、両凹レンズＬ２３と、両凹レンズＬ２４と両凸レンズＬ２５の接合レンズから構成され、広角端から望遠端への変倍に際して像側から望遠側へ移動し、無限遠から近距離へのフォーカシングに際して物体側から像側へ移動する。
【０１８８】
続いて、以下の実施例６に係る変倍結像光学系の諸元値を示す。
数値実施例6
単位：mm
[面データ]
面番号        r         d         nd       vd
1        192.6245    3.0000   1.87071   40.73
2        112.5169   10.7760   1.49700   81.61
3       1984.0254    0.1500
4        115.7484   10.1202   1.43700   95.10
5       1724.6070      (d5)
6        114.9668    4.1760   1.80518   25.46
7       5851.5099    1.5000   1.87071   40.73
8         50.3830    4.1197
9        203.5260    1.5000   1.87071   40.73
10        78.9555     (d10)
11       112.6746    3.8686   1.62004   36.30
12      -260.7771    6.8226
13        39.8812    3.1526   1.51680   64.20
14        66.7555    5.4833
15      2298.3099    0.9000   1.74320   49.34
16        60.1530    4.3155
17       -45.0268    1.0000   1.61997   63.88
18        91.6412    3.1459   1.85478   24.80
19      -263.0854     (d19)
20       277.2869    3.3679   1.80610   33.27
21      -153.3145    0.1500
22        76.8555    3.8300   1.59349   67.00
23      -174.3225    1.0000   1.85478   24.80
24       275.1663    7.9000
25（絞り)          ∞    9.2084
26        47.6196    4.1709   1.51680   64.20
27       305.0231    0.4175
28        46.3664    0.9000   1.95375   32.32
29        33.3567    2.6103
30        55.8659    5.7561   1.43700   95.10
31       -55.8659    1.0000   1.91082   35.25
32      -562.2495     (d32)
33       101.2508    0.9000   1.87071   40.73
34        68.7716    9.9444
35       118.7990    3.1614   1.54072   47.20
36      -109.0007    0.1500
37        60.2608    3.8704   1.55032   75.50
38       768.7425     (d38)
39       592.9856    2.8644   1.67300   38.15
40      -118.7088    1.0148
41      -425.1087    1.0000   1.43700   95.10
42        27.4580   10.4317
43       -46.1064    0.9000   1.95375   32.32
44        85.7256    3.7392   1.85478   24.80
45       -66.7991      (BF)
像面            ∞
[各種データ]
ズーム比        9.33
広角      中間      望遠
焦点距離       62.02    177.99    578.40
Fナンバー        4.44      5.51      6.49
全画角2ω       38.40     13.60      4.20
像高Y         21.63     21.63     21.63
レンズ全長     298.22    348.79    391.31
[可変間隔データ]
広角
無限遠   有限遠距離  有限近距離
撮影距離        inf      12.6694m     2.5985m
d5          4.0000     4.0000      4.0000
d10         34.0475    34.0475     34.0475
d19         50.0147    50.0147     50.0147
d32          6.1519     6.1430      6.1029
d38          5.0476     5.1243      5.4472
BF         56.6412    56.5732     56.2906
中間
無限遠   有限遠距離  有限近距離
撮影距離       inf      12.9380m    2.5997m
d5         74.8794   74.8794    74.8794
d10         13.7364   13.7364    13.7364
d19         27.5080   27.5080    27.5080
d32          2.0000    1.7031     1.1498
d38          8.0927    8.4706    10.0523
BF         80.2549   80.1733    79.1449
望遠
無限遠    有限遠距離   有限近距離
撮影距離      inf       12.9996m     2.5899m
d5        126.7050   126.7050   126.7050
d10          4.4360     4.4360     4.4360
d19          2.0000     2.0000     2.0000
d32         12.3570    11.1260     6.4810
d38          1.9976     4.9694    15.6785
BF        101.5007    99.7596    93.6958
[レンズ群データ]
群        始面     焦点距離
G1          1        224.73
G2          6        -59.47
G3         11       -328.00
G4         20         69.41
G5         33         68.68
G6         39        -53.32
G3a         11         76.69
G3b         15        -49.57
【０１８９】
図１３３は、本発明の実施例７の結像光学系のレンズ構成図である。
【０１９０】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０１９１】
第１レンズ群Ｇ１は物体側から順に、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０１９２】
第２レンズ群Ｇ２は物体側から順に、物体側へ凸面を向けた正メニスカスレンズＬ４と物体側へ凸面を向けた負メニスカスレンズＬ５からなる接合レンズと、物体側へ凸面を向けた負メニスカスレンズＬ６から構成され、広角端から望遠端への変倍に際して物体側から像側へ移動する。
【０１９３】
第３レンズ群Ｇ３は物体側から順に、正の屈折力を有する第３レンズ群前群Ｇ３ａと負の屈折力を有する第３レンズ群後群Ｇ３ｂより構成され、変倍に際して像面に対し固定されている。
【０１９４】
第３レンズ群前群Ｇ３ａは、両凸レンズＬ７と物体側に凸面を向けた正メニスカスレンズＬ８より構成される。
【０１９５】
第３レンズ群後群Ｇ３ｂは、両凹レンズＬ９と、両凹レンズＬ１０と両凸レンズＬ１１の接合レンズから構成されており、防振に際して光軸と直交する方向に駆動される。
【０１９６】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０１９７】
また、第４レンズ群Ｇ４中の両凹レンズＧ１４と、正メニスカスレンズＬ１５の間の空気間隔中に開口絞りＳを備える。
【０１９８】
第５レンズ群Ｇ５は、両凸レンズＬ１９と像側に凸面を向けた負メニスカスレンズＬ２０と、物体側に凸面を向けた正メニスカスレンズＬ２１から構成され、広角端から望遠端への変倍に際して像側から物体側へ移動し、無限遠から近距離へのフォーカシングに際して像側から物体側へ移動する。
【０１９９】
第６レンズ群Ｇ６は、両凸レンズＬ２２と、物体側に凸面を向けた負メニスカスレンズＬ２３と、両凹レンズＬ２４と両凸レンズＬ２５の接合レンズから構成され、広角端から望遠端への変倍に際して像側から望遠側へ移動し、無限遠から近距離へのフォーカシングに際して物体側から像側へ移動する。
【０２００】
続いて、以下に実施例７に係る変倍結像光学系の諸元値を示す。
数値実施例7
単位：mm
[面データ]
面番号        r         d         nd       vd
1       192.5126    3.0000   1.87071   40.73
2       112.2679   10.9773   1.49700   81.61
3      1944.6507    0.1500
4       116.3211   10.2596   1.43700   95.10
5      1900.2215      (d5)
6       106.4166    4.2645   1.80518   25.46
7      1477.2058    1.5000   1.87071   40.73
8        49.5258    4.2268
9       205.5296    1.5000   1.87071   40.73
10        76.2964     (d10)
11       120.7193    3.9461   1.62004   36.30
12      -296.9205    6.5056
13        40.9267    3.3290   1.51680   64.20
14        78.5445    5.6508
15      -857.9657    0.9000   1.74320   49.34
16        62.2599    4.2242
17       -45.6861    1.0000   1.61997   63.88
18        90.9368    3.2036   1.85478   24.80
19      -239.9746     (d19)
20       301.9306    3.2784   1.80610   33.27
21      -165.8529    0.1500
22        64.9410    4.0150   1.59349   67.00
23      -221.1033    1.0000   1.85478   24.80
24       200.8814    7.9000
25（絞り)         ∞    8.4048
26        59.8463    3.9982   1.51680   64.20
27      3831.4603    0.1500
28        43.1359    0.9000   1.95375   32.32
29        32.8588    2.7257
30        57.1861    5.6556   1.43700   95.10
31       -57.1861    1.0000   1.91082   35.25
32      -707.9463     (d32)
33       219.9242    3.1584   1.54072   47.20
34       -70.3601    1.0000   1.87071   40.73
35      -101.9088    0.1500
36        63.1802    3.6731   1.55032   75.50
37       575.3405     (d37)
38       283.2877    2.8457   1.67300   38.15
39      -143.1587    0.7946
40       319.5211    1.0000   1.43700   95.10
41        25.6525    8.5298
42       -44.1468    0.9000   1.95375   32.32
43        62.1213    5.4762   1.85478   24.80
44       -70.5578      (BF)
像面            ∞
[各種データ]
ズーム比        9.32
広角      中間      望遠
焦点距離       62.05    179.34    578.36
Fナンバー       4.46      5.55      6.49
全画角2ω      38.35     13.49      4.20
像高Y        21.63     21.63     21.63
レンズ全長     296.49    347.08    389.64
[可変間隔データ]
広角
無限遠   有限遠距離  有限近距離
inf     12.8516m    2.5957m
d5          4.0000     4.0000     4.0000
d10        34.5447    34.5447    34.5447
d19         48.888     48.888     48.888
d32        15.8559    15.8345    15.7376
d37         4.9469     5.0218     5.3431
BF         56.9136    56.8602    56.6357
中間
無限遠   有限遠距離  有限近距離
inf     13.0397m    2.6458m
d5         75.4218    75.4218    75.4218
d10        13.7107    13.7107    13.7107
d19         27.195    27.1950    27.1950
d32        10.8073    10.5623     9.8236
d37         8.0431     8.4281     9.9901
BF         80.5587    80.4189    79.5956
望遠
無限遠   有限遠距離  有限近距離
inf     12.8079m    2.5878m
d5        127.1326   127.1326   127.1326
d10         4.5590     4.5590     4.5590
d19         2.0000     2.0000     2.0000
d32        20.7217    19.4049    14.6041
d37         1.9977     5.0210    15.8831
BF        101.8846   100.1787    94.1169
[レンズ群データ]
群        始面       焦点距離
G1          1         225.03
G2          6         -59.20
G3         11        -308.95
G4         20          69.58
G5         33          71.15
G6         38         -53.38
G3a        11          75.97
G3b        15         -49.05
【０２０１】
図１５５は、本発明の実施例８の結像光学系のレンズ構成図である。
【０２０２】
物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４、正の屈折力を有する第５レンズ群Ｇ５、負の屈折力を有する第６レンズ群Ｇ６が配置されて構成される。
【０２０３】
第１レンズ群Ｇ１は、物体側へ凸面を向けた負メニスカスレンズＬ１と物体側へ凸面を向けた正メニスカスレンズＬ２からなる接合レンズと、物体側へ凸面を向けた正メニスカスレンズレンズＬ３から構成され、広角端から望遠端への変倍に際して像側から物体側へ移動する。
【０２０４】
第２レンズ群Ｇ２は、物体側へ凸面を向けた負メニスカスレンズＬ４と物体側へ凸面を向けた正メニスカスレンズＬ５からなる接合レンズと、物体側へ凸面を向けた負メニスカスレンズＬ６から構成され、広角端から望遠端への変倍に際して物体側から像側へ移動する。
【０２０５】
第３レンズ群Ｇ３は、正の屈折力を有する第３レンズ群前群Ｇ３ａと負の屈折力を有する第３レンズ群後群Ｇ３ｂより構成され、変倍に際して像面に対し固定されている。
【０２０６】
第３レンズ群前群Ｇ３ａは、両凸レンズＬ７と物体側に凸面を向けた正メニスカスレンズＬ８より構成される。
【０２０７】
第３レンズ群後Ｇ３ｂは、物体側に凸面を向けた負メニスカスレンズＬ９と、両凹レンズＬ１０と両凸レンズＬ１１の接合レンズから構成されており、防振に際して光軸と直交する方向に駆動される。
【０２０８】
第４レンズ群Ｇ４は、両凸レンズＧ１２と、両凸レンズＧ１３と両凹レンズＧ１４の接合レンズと、物体側に凸面を向けた正メニスカスレンズＬ１５と、物体側に凸面を向けた負メニスカスレンズＬ１６と、両凸レンズＬ１７と像側に凸面を向けた負メニスカスレンズＬ１８の接合レンズから構成され、広角端から望遠端への変倍に際して像側から物体側へ移動する。
【０２０９】
また、第４レンズ群Ｇ４中の両凹レンズＧ１４と、正メニスカスレンズＬ１５の間の空気間隔中に開口絞りＳを備える。
【０２１０】
第５レンズ群Ｇ５は、物体側に凸面を向けた負メニスカスレンズＬ１９と、両凸レンズＬ２０と、物体側に凸面を向けた正メニスカスレンズＬ２１から構成され、広角端から望遠端への変倍に際して像側から物体側へ移動する。
【０２１１】
第６レンズ群Ｇ６は、両凸レンズＬ２２と、両凹レンズＬ２３と、両凹レンズＬ２４と両凸レンズＬ２５の接合レンズから構成され、広角端から望遠端への変倍に際して像側から望遠側へ移動し、無限遠から近距離へのフォーカシングに際して物体側から像側へ移動する。
【０２１２】
続いて、以下に実施例８に係る変倍結像光学系の諸元値を示す。
数値実施例8
単位：mm
[面データ]
面番号         r          d        nd       vd
1       195.0864    3.0000   1.87071   40.73
2       112.2000   10.6715   1.49700   81.61
3      2015.5812    0.1500
4       114.6688   10.2048   1.43700   95.10
5      1943.0237      (d5)
6       161.1555    1.5000   1.87071   40.73
7        37.8572    5.2636   1.72825   28.32
8        65.1111    2.2582
9       123.5592    1.5000   1.87071   40.73
10        65.9196     (d10)
11       135.3943    4.1223   1.62004   36.30
12      -226.4852    6.3495
13        37.3781    3.0945   1.51680   64.20
14        57.4246    5.7064
15      2922.7562    0.9000   1.74320   49.34
16        56.4129    4.4965
17       -43.3948    1.0000   1.61997   63.88
18        88.0469    3.2707   1.85478   24.80
19      -229.4553     (d19)
20       247.7660    3.4934   1.80610   33.27
21      -142.7463    0.1500
22        58.2780    3.8616   1.59349   67.00
23      -923.9465    1.0000   1.85478   24.80
24       135.7377    7.9000
25（絞り)         ∞    5.0000
26        56.1488    3.9198   1.48749   70.44
27       620.1867    0.1500
28        47.7950    0.9000   1.95375   32.32
29        34.7120    2.4490
30        55.4002    5.5414   1.43700   95.10
31       -55.4002    1.0000   1.91082   35.25
32      -915.4361     (d32)
33        77.6585    0.9000   1.87071   40.73
34        57.4732   14.2263
35        95.4063    3.3859   1.51742   52.15
36      -108.6274    0.1500
37        72.4085    3.5102   1.55032   75.50
38       389.6026     (d38)
39       447.5412    2.9525   1.67300   38.15
40      -124.1445    1.1440
41      -252.3647    1.0000   1.43700   95.10
42        31.7093   14.0095
43       -45.7595    0.9000   1.95375   32.32
44       394.6031    3.2862   1.85478   24.80
45       -64.1992      (BF)
像面            ∞
[各種データ]
ズーム比        9.31
広角      中間      望遠
焦点距離       62.08    180.74    578.24
Fナンバー       4.49      5.55      6.50
全画角2ω      38.70     13.45      4.21
像高Y        21.63     21.63     21.63
レンズ全長     299.31    350.97    392.88
[可変間隔データ]
広角
無限遠   有限遠距離  有限近距離
撮影距離       inf        13m         2.6m
d5          4.0000     4.0000      4.0000
d10        34.1670    34.1670     34.1670
d19        50.3014    50.3014     50.3014
d32         7.2934     7.2934      7.2934
d38         4.3094     4.4030      4.8110
BF         54.9199    54.8262     54.4183
中間
無限遠   有限遠距離  有限近距離
撮影距離        inf       13m         2.6m
d5          76.1088   76.1088     76.1088
d10         13.7174   13.7174     13.7174
d19         27.8928   27.8928     27.8928
d32          2.0000    2.0000      2.0000
d38          8.1887    8.7011     10.8208
BF          78.7425   78.2298     76.1106
望遠
無限遠   有限遠距離  有限近距離
撮影距離       inf        13m         2.6m
d5        126.7677   126.7677     126.7677
d10         4.9670     4.9670       4.9670
d19         2.0000     2.0000       2.0000
d32        13.0218    13.0218      13.0218
d38         2.0385     5.8542      20.6340
BF         99.7637    95.9482      81.1682
[レンズ群データ]
群        始面     焦点距離
G1          1        224.65
G2          6        -63.76
G3         11       -207.93
G4         20         67.85
G5         33         75.05
G6         39        -62.36
G3a        11         81.93
G3b        15        -47.63
【０２１３】
本発明の防振機能を備えた変倍結像光学系においては、更に以下の構成を伴うのが望ましい。
【０２１４】
第２レンズ群Ｇ２中の空気界面はすべて物体側に凸の面であることが望ましい。なぜなら、広角端において第２レンズ群Ｇ２を通過する周辺画角の主光線と、相対屈折率の大きい空気界面の法線とのなす角を小さくすることで、コマ収差や非点収差等の軸外収差の発生を低減し、広角端の画面全域で結像性能を担保することができる。
【０２１５】
無限遠から近距離への合焦に際して、前述の通り第６レンズ群Ｇ６が移動することが望ましいが、実施例に示したように第６レンズ群Ｇ６とともに第５レンズ群Ｇ５を移動させてもよい。また第５レンズ群Ｇ５のみ、または第５レンズ群Ｇ５ないし第６レンズ群Ｇ６の一部を、第５レンズ群Ｇ５と第６レンズ群Ｇ６の間の空気間隔が変化するように移動させてもよい。
【０２１６】
各実施例では第４レンズ群Ｇ４内部に開口絞りＳを備えるが、第４レンズ群Ｇ４の前側ないし後ろ側に配置することも可能である。開口絞りＳを第４レンズ群Ｇ４の前側に置いた場合、第３レンズ群後群Ｇ３ｂが防振群である関係上、開口絞りＳと防振の駆動機構が隣接することになるので配置が難しい。開口絞りＳを第４レンズ群Ｇ４の後ろ側に置いた場合、入射瞳が像側に移動して絞りより前の群での主光線通過位置が光軸から離れるので、特に第１レンズ群Ｇ１や第２レンズ群Ｇ２の径が上がって、その重量が増加傾向となる。
【０２１７】
したがって第４レンズ群Ｇ４の内部に開口絞りＳを配置することが最も好ましい。しかし前記の問題を解決できる場合には開口絞りＳの位置が第４レンズ群Ｇ４の内部でなくとも本発明の本質的な効果は変わらない。
【０２１８】
以上の上記に各実施例に対応する条件式対応値を示す。
条件式           実施例1  実施例2  実施例3  実施例4
f1/ft             0.41    0.47     0.44      0.40
|ft/f2|             9.5     8.4      8.8       9.6
{(n2-n1)/r2}/{(n1-1)/r1}   -0.72   -0.71    -0.72     -0.69
r3/bf1             0.80    0.99     1.60      0.70
ht/r2             0.39    0.34     0.35      0.42
ft/fw             9.31    9.46     9.59      9.32
LT/ft             0.71    0.82     0.78      0.68
β６               2.9     2.8      2.5       2.8
f3/f2             4.04    3.28     4.49      5.43
|f3a/f3b|           1.62    1.58     1.55      1.56
β3b             -0.87   -0.79    -0.89     -1.07
|f2/f3b|            1.29    1.19     1.22      1.32
条件式           実施例5  実施例6  実施例7  実施例8
f1/ft             0.39    0.39     0.39      0.39
|ft/f2|             9.7     9.7      9.8       9.1
{(n2-n1)/r2}/{(n1-1)/r1}   -0.74   -0.73    -0.74     -0.75
r3/bf1             1.88    1.97     1.91      1.87
ht/r2             0.39    0.40     0.40      0.40
ft/fw             9.32    9.33     9.32      9.31
LT/ft             0.67    0.68     0.67      0.68
β６               2.9     3.1      3.1       2.8
f3/f2             5.61    5.52     5.22      3.26
|f3a/f3b|           1.54    1.55     1.55      1.72
β3b             -1.09   -1.03    -1.04     -0.99
|f2/f3b|            1.25    1.20     1.21      1.34
【符号の説明】
【０２１９】
Ｇ１      第１レンズ群
Ｇ２      第２レンズ群
Ｇ３      第３レンズ群
Ｇ３ａ    第３レンズ群前群
Ｇ３ｂ    第３レンズ群後群
Ｇ４      第４レンズ群
Ｇ５      第５レンズ群
Ｇ６      第６レンズ群
Ｓ        開口絞り
Ｉ        像面
【図１】
2020020948.tif 000003
【図２】
2020020948.tif 000004
【図３】
2020020948.tif 000005
【図４】
2020020948.tif 000006
【図５】
2020020948.tif 000007
【図６】
2020020948.tif 000008
【図７】
2020020948.tif 000009
【図８】
2020020948.tif 000010
【図９】
2020020948.tif 000011
【図１０】
2020020948.tif 000012
【図１１】
2020020948.tif 000013
【図１２】
2020020948.tif 000014
【図１３】
2020020948.tif 000015
【図１４】
2020020948.tif 000016
【図１５】
2020020948.tif 000017
【図１６】
2020020948.tif 000018
【図１７】
2020020948.tif 000019
【図１８】
2020020948.tif 000020
【図１９】
2020020948.tif 000021
【図２０】
2020020948.tif 000022
【図２１】
2020020948.tif 000023
【図２２】
2020020948.tif 000024
【図２３】
2020020948.tif 000025
【図２４】
2020020948.tif 000026
【図２５】
2020020948.tif 000027
【図２６】
2020020948.tif 000028
【図２７】
2020020948.tif 000029
【図２８】
2020020948.tif 000030
【図２９】
2020020948.tif 000031
【図３０】
2020020948.tif 000032
【図３１】
2020020948.tif 000033
【図３２】
2020020948.tif 000034
【図３３】
2020020948.tif 000035
【図３４】
2020020948.tif 000036
【図３５】
2020020948.tif 000037
【図３６】
2020020948.tif 000038
【図３７】
2020020948.tif 000039
【図３８】
2020020948.tif 000040
【図３９】
2020020948.tif 000041
【図４０】
2020020948.tif 000042
【図４１】
2020020948.tif 000043
【図４２】
2020020948.tif 000044
【図４３】
2020020948.tif 000045
【図４４】
2020020948.tif 000046
【図４５】
2020020948.tif 000047
【図４６】
2020020948.tif 000048
【図４７】
2020020948.tif 000049
【図４８】
2020020948.tif 000050
【図４９】
2020020948.tif 000051
【図５０】
2020020948.tif 000052
【図５１】
2020020948.tif 000053
【図５２】
2020020948.tif 000054
【図５３】
2020020948.tif 000055
【図５４】
2020020948.tif 000056
【図５５】
2020020948.tif 000057
【図５６】
2020020948.tif 000058
【図５７】
2020020948.tif 000059
【図５８】
2020020948.tif 000060
【図５９】
2020020948.tif 000061
【図６０】
2020020948.tif 000062
【図６１】
2020020948.tif 000063
【図６２】
2020020948.tif 000064
【図６３】
2020020948.tif 000065
【図６４】
2020020948.tif 000066
【図６５】
2020020948.tif 000067
【図６６】
2020020948.tif 000068
【図６７】
2020020948.tif 000069
【図６８】
2020020948.tif 000070
【図６９】
2020020948.tif 000071
【図７０】
2020020948.tif 000072
【図７１】
2020020948.tif 000073
【図７２】
2020020948.tif 000074
【図７３】
2020020948.tif 000075
【図７４】
2020020948.tif 000076
【図７５】
2020020948.tif 000077
【図７６】
2020020948.tif 000078
【図７７】
2020020948.tif 000079
【図７８】
2020020948.tif 000080
【図７９】
2020020948.tif 000081
【図８０】
2020020948.tif 000082
【図８１】
2020020948.tif 000083
【図８２】
2020020948.tif 000084
【図８３】
2020020948.tif 000085
【図８４】
2020020948.tif 000086
【図８５】
2020020948.tif 000087
【図８６】
2020020948.tif 000088
【図８７】
2020020948.tif 000089
【図８８】
2020020948.tif 000090
【図８９】
2020020948.tif 000091
【図９０】
2020020948.tif 000092
【図９１】
2020020948.tif 000093
【図９２】
2020020948.tif 000094
【図９３】
2020020948.tif 000095
【図９４】
2020020948.tif 000096
【図９５】
2020020948.tif 000097
【図９６】
2020020948.tif 000098
【図９７】
2020020948.tif 000099
【図９８】
2020020948.tif 000100
【図９９】
2020020948.tif 000101
【図１００】
2020020948.tif 000102
【図１０１】
2020020948.tif 000103
【図１０２】
2020020948.tif 000104
【図１０３】
2020020948.tif 000105
【図１０４】
2020020948.tif 000106
【図１０５】
2020020948.tif 000107
【図１０６】
2020020948.tif 000108
【図１０７】
2020020948.tif 000109
【図１０８】
2020020948.tif 000110
【図１０９】
2020020948.tif 000111
【図１１０】
2020020948.tif 000112
【図１１１】
2020020948.tif 000113
【図１１２】
2020020948.tif 000114
【図１１３】
2020020948.tif 000115
【図１１４】
2020020948.tif 000116
【図１１５】
2020020948.tif 000117
【図１１６】
2020020948.tif 000118
【図１１７】
2020020948.tif 000119
【図１１８】
2020020948.tif 000120
【図１１９】
2020020948.tif 000121
【図１２０】
2020020948.tif 000122
【図１２１】
2020020948.tif 000123
【図１２２】
2020020948.tif 000124
【図１２３】
2020020948.tif 000125
【図１２４】
2020020948.tif 000126
【図１２５】
2020020948.tif 000127
【図１２６】
2020020948.tif 000128
【図１２７】
2020020948.tif 000129
【図１２８】
2020020948.tif 000130
【図１２９】
2020020948.tif 000131
【図１３０】
2020020948.tif 000132
【図１３１】
2020020948.tif 000133
【図１３２】
2020020948.tif 000134
【図１３３】
2020020948.tif 000135
【図１３４】
2020020948.tif 000136
【図１３５】
2020020948.tif 000137
【図１３６】
2020020948.tif 000138
【図１３７】
2020020948.tif 000139
【図１３８】
2020020948.tif 000140
【図１３９】
2020020948.tif 000141
【図１４０】
2020020948.tif 000142
【図１４１】
2020020948.tif 000143
【図１４２】
2020020948.tif 000144
【図１４３】
2020020948.tif 000145
【図１４４】
2020020948.tif 000146
【図１４５】
2020020948.tif 000147
【図１４６】
2020020948.tif 000148
【図１４７】
2020020948.tif 000149
【図１４８】
2020020948.tif 000150
【図１４９】
2020020948.tif 000151
【図１５０】
2020020948.tif 000152
【図１５１】
2020020948.tif 000153
【図１５２】
2020020948.tif 000154
【図１５３】
2020020948.tif 000155
【図１５４】
2020020948.tif 000156
【図１５５】
2020020948.tif 000157
【図１５６】
2020020948.tif 000158
【図１５７】
2020020948.tif 000159
【図１５８】
2020020948.tif 000160
【図１５９】
2020020948.tif 000161
【図１６０】
2020020948.tif 000162
【図１６１】
2020020948.tif 000163
【図１６２】
2020020948.tif 000164
【図１６３】
2020020948.tif 000165
【図１６４】
2020020948.tif 000166
【図１６５】
2020020948.tif 000167
【図１６６】
2020020948.tif 000168
【図１６７】
2020020948.tif 000169
【図１６８】
2020020948.tif 000170
【図１６９】
2020020948.tif 000171
【図１７０】
2020020948.tif 000172
【図１７１】
2020020948.tif 000173
【図１７２】
2020020948.tif 000174
【図１７３】
2020020948.tif 000175
【図１７４】
2020020948.tif 000176
【図１７５】
2020020948.tif 000177
【図１７６】
2020020948.tif 000178